(57)【特許請求の範囲】
【請求項１】
ＵＥは、免許不要のキャリアのアップリンクサブフレームまたはアップリンク測定時間帯において、アップリンクチャネルを測定し、アップリンクチャネル品質情報を決定し、また、免許不要のキャリアのダウンリンクサブフレームにおいて、ダウンリンクチャネルを測定し、ダウンリンクチャネル品質情報を決定するステップと、 
前記ＵＥは、決定した前記アップリンクチャネル品質情報をネットワーク側装置に通知し、前記ネットワーク側装置が受信した前記アップリンクチャネル品質情報に基づき、免許不要のキャリア上でＵＥに対するアップリンクスケジューリング要否を判断できるようにするため、また、前記ネットワーク側装置が受信した前記ダウンリンクチャネル品質情報に基づき、免許不要のキャリア上でＵＥへのダウンリンクスケジューリングの要否を判断できるようにするため、決定した前記ダウンリンクチャネル品質情報をネットワーク側装置に通知するステップとを備えることを特徴とするキャリアスケジューリングのための方法。
【請求項２】
前記アップリンクチャネル品質情報には、
受信信号強度指示子（ＲＳＳＩ）、潜在的なアップリンクチャネル競争の成功確率、前記ＵＥ所在のシステム以外の各他の免許不要のシステムの、免許不要のキャリアにおける稼働状態の装置数および前記ＵＥ所在のシステム以外の他の免許不要のシステムの、免許不要のキャリアにおける総電力のうちの一部または全部が含まれ、
前記ダウンリンクチャネル品質情報には、ＲＳＳＩが含まれることを特徴とする請求項１に記載のキャリアスケジューリングのための方法。
【請求項３】
前記アップリンクチャネル品質情報には、潜在的なアップリンクチャネル競争の成功確率が含まれ、前記アップリンク測定時間帯が競争ウィンドウであり、
前記ＵＥがアップリンク測定時間帯においてアップリンクチャネルを測定し、アップリンクチャネル品質情報を決定することは、
前記ＵＥはリソース競争を行う競争ウィンドウを決定し、
前記ＵＥは決定した競争ウィンドウにおいてアップリンクチャネルを測定し、アップリンクチャネル品質情報を決定することを特徴とする請求項２に記載のキャリアスケジューリングのための方法。
【請求項４】
前記ＵＥが免許不要のキャリアのアップリンクサブフレームにおいてアップリンクチャネルを測定してアップリンクチャネル品質情報を決定することは、
前記ＵＥはネットワーク側により設定されたアップリンクサブフレーム集合においてアップリンクチャネルを測定し、アップリンクチャネル品質情報を決定することを特徴とする請求項１ないし請求項３のいずれに記載のキャリアスケジューリングのための方法。
【請求項５】
前記ＵＥがアップリンクチャネルを測定することは、
前記アップリンクチャネル品質情報には、前記ＵＥ所在のシステム以外の各他の免許不要のシステムの、免許不要のキャリアにおける稼働状態の装置数が含まれば、前記ＵＥは、前記ＵＥに内蔵された、他の免許不要のシステムにおいて動作される第１独立モジュールにより、前記ＵＥ所在のシステム以外の各他の免許不要のシステムの、免許不要のキャリアにおける稼働状態の装置数を決定し、
前記アップリンクチャネル品質情報には、前記ＵＥ所在のシステム以外の他の免許不要のシステムの、免許不要のキャリアにおける総電力が含まれば、前記ＵＥは、前記ＵＥに内蔵された、他の免許不要のシステムにおいて動作される第２独立モジュールにより、前記ＵＥ所在のシステム以外の他の免許不要のシステムの、免許不要のキャリアにおける総電力を決定することを特徴とする請求項２に記載のキャリアスケジューリングのための方法。
【請求項６】
ネットワーク側装置は、ＵＥからフィードバックされた、免許不要のキャリアに関するアップリンクチャネル品質情報及び/またはダウンリンクチャネル品質情報を受信するステップと、
前記ネットワーク側装置は、受信した前記アップリンクチャネル品質情報に基づき、免許不要のキャリアにおいて、ＵＥに対するアップリンクスケジューリングを行うか否かを判断するステップと、
前記ネットワーク側装置は、受信した前記ダウンリンクチャネル品質情報に基づき、免許不要のキャリアにおいて、ＵＥに対するダウンリンクスケジューリングを行うかどうかを判断するステップとを備えることを特徴とするキャリアスケジューリングのための方法。
【請求項７】
前記アップリンクチャネル品質情報には、
ＲＳＳＩ、潜在的なアップリンクチャネル競争の成功確率、前記ＵＥ所在のシステム以外の各他の免許不要のシステムの、免許不要のキャリアにおける稼働状態の装置数および前記ＵＥ所在のシステム以外の他の免許不要のシステムの、免許不要のキャリアにおける総電力のうちの一部または全部が含まれ、
前記ダウンリンクチャネル品質情報には、ＲＳＳＩが含まれることを特徴とする請求項６に記載のキャリアスケジューリングのための方法。
【請求項８】
前記ネットワーク側装置は、受信した前記アップリンクチャネル品質情報に基づき、免許不要のキャリアにおいて、ＵＥに対するアップリンクスケジューリングを行うか否かを判断することは、
前記アップリンクチャネル品質情報には、ＲＳＳＩが含まれば、前記ネットワーク側装置は、ＲＳＳＩが第１閾値より小さいかどうかを判断し、第１閾値より小さければ、免許不要のキャリアにおいてＵＥに対するアップリンクスケジューリングを行い、さもないと、免許不要のキャリアにおいてＵＥに対する行アップリンクスケジューリングを行わない、
前記アップリンクチャネル品質情報には、潜在的なアップリンクチャネル競争の成功確率が含まれば、前記ネットワーク側装置は、潜在的なアップリンクチャネル競争の成功確率が第２閾値より大きければ、免許不要のキャリアにおいてＵＥに対するアップリンクスケジューリングを行い、さもないと、免許不要のキャリアにおいてＵＥに対する行アップリンクスケジューリングを行わない、
前記アップリンクチャネル品質情報には、前記ＵＥ所在のシステム以外の各他の免許不要のシステムの、免許不要のキャリアにおける稼働状態の装置数が含まれば、前記ネットワーク側装置は、稼働状態の他の免許不要のシステムの装置数が第３閾値より小さければ、免許不要のキャリアにおいてＵＥに対するアップリンクスケジューリングを行い、さもないと、免許不要のキャリアにおいてＵＥに対する行アップリンクスケジューリングを行わない、
前記アップリンクチャネル品質情報には、前記ＵＥ所在のシステム以外の他の免許不要のシステムの、免許不要のキャリアにおける総電力が含まれば、前記ネットワーク側装置は、前記総電力が第４閾値より小さければ、免許不要のキャリアにおいてＵＥに対するアップリンクスケジューリングを行い、さもないと、免許不要のキャリアにおいてＵＥに対する行アップリンクスケジューリングを行わないことを特徴とする請求項７に記載のキャリアスケジューリングのための方法。
【請求項９】
前記ネットワーク側装置が、受信した前記ダウンリンクチャネル品質情報に基づき、免許不要のキャリアにおいて、ＵＥに対するダウンリンクスケジューリングを行うかどうかを判断することは、
前記ネットワーク側装置は、ＲＳＳＩが第５閾値より小さければ、免許不要のキャリアにおいてＵＥに対するダウンリンクスケジューリングを行い、さもないと、免許不要のキャリアにおいてＵＥに対するダウンリンクスケジューリングを行わないことを特徴とする請求項７に記載のキャリアスケジューリングのための方法。
【請求項１０】
前記ネットワーク側装置が、受信した前記アップリンクチャネル品質情報に基づき、免許不要のキャリアにおいて、ＵＥに対するアップリンクスケジューリングを行うか否かを判断した後、
前記ネットワーク側装置は、免許不要のキャリアにおいてＵＥに対するアップリンクスケジューリングが要ると判断した後、免許されるキャリアにより、免許不要のキャリアに関するアップリンクスケジューリングのスケジューリングシグナリングを送信するステップをさらに備えることを特徴とする請求項６ないし請求項９に記載のキャリアスケジューリングのための方法。
【請求項１１】
前記ネットワーク側装置がＵＥからのアップリンクチャネル品質情報を受信する前、前記ネットワーク側装置は、前記ＵＥのために、アップリンクチャネルを測定する免許不要のキャリアのアップリンクサブフレーム集合を設定するステップをさらに備えることを特徴とする請求項６ないし請求項９に記載のキャリアスケジューリングのための方法。
【請求項１２】
ネットワーク側装置は、免許不要のキャリアのダウンリンクサブフレームまたはダウンリンク測定時間帯において、ダウンリンクチャネルを測定し、ダウンリンクチャネル品質情報を決定するステップと、
前記ネットワーク側装置は、決定した前記ダウンリンクチャネル品質情報に基づき、免許不要のキャリアにおいてダウンリンクスケジューリングを行うかどうかを判断するステップとを備えることを特徴とするキャリアスケジューリングのための方法。
【請求項１３】
前記ダウンリンクチャネル品質情報には、
ＲＳＳＩ、潜在的なダウンリンクチャネル競争の成功確率、前記ネットワーク側装置所在のシステム以外の各他の免許不要のシステムの、免許不要のキャリアにおける稼働状態の装置数および前記ネットワーク側装置所在のシステム以外の他の免許不要のシステムの、免許不要のキャリアにおける総電力のうちの一部または全部が含まれることを特徴とする請求項１２に記載のキャリアスケジューリングのための方法。
【請求項１４】
前記ダウンリンクチャネル品質情報には、潜在的なダウンリンクチャネル競争の成功確率が含まれ、前記ダウンリンク測定時間帯は、競争ウィンドウであり、
前記ネットワーク側装置が免許不要のキャリアのダウンリンク測定時間帯においてダウンリンクチャネルを測定し、ダウンリンクチャネル品質情報を決定することは、
前記ネットワーク側装置は、リソース競争を行う競争ウィンドウを決定し、
前記ネットワーク側装置は、決定した競争ウィンドウにおいて、ダウンリンクチャネルを測定し、ダウンリンクチャネル品質情報を決定することであることを特徴とする請求項１３に記載のキャリアスケジューリングのための方法。
【請求項１５】
前記ネットワーク側装置は、決定した前記ダウンリンクチャネル品質情報に基づき、免許不要のキャリアにおいてダウンリンクスケジューリングを行うかどうかを判断することは、
前記ダウンリンクチャネル品質情報には、ＲＳＳＩが含まれば、前記ネットワーク側装置は、ＲＳＳＩが第６閾値より小さければ、免許不要のキャリアにおいてダウンリンクスケジューリングを行い、さもないと、免許不要のキャリアにおいてダウンリンクスケジューリングを行わない、
前記ダウンリンクチャネル品質情報には、潜在的なダウンリンクチャネル競争の成功確率が含まれば、前記ネットワーク側装置は、潜在的なダウンリンクチャネル競争の成功確率が第７閾値より大きければ、免許不要のキャリアにおいてダウンリンクスケジューリングを行い、さもないと、免許不要のキャリアにおいてダウンリンクスケジューリングを行わない、
前記ダウンリンクチャネル品質情報には、前記ネットワーク側装置所在のシステム以外の各他の免許不要のシステムの、免許不要のキャリアにおける稼働状態の装置数がふくまれば、前記ネットワーク側装置は、稼働状態の他の免許不要のシステムの装置数が第８閾値より小さければ、免許不要のキャリアにおいてダウンリンクスケジューリングを行い、さもないと、免許不要のキャリアにおいてダウンリンクスケジューリングを行わない、
前記ダウンリンクチャネル品質情報には、前記ネットワーク側装置所在の免許不要のシステム以外の他の免許不要のシステムの、免許不要のキャリアの場合の総電力が含まれば、前記ネットワーク側装置は、前記総電力が第９閾値より小さければ、免許不要のキャリアにおいてダウンリンクスケジューリングを行い、さもないと、免許不要のキャリアにおいてダウンリンクスケジューリングを行わないことを特徴とする請求項１３または請求項１４に記載のキャリアスケジューリングのための方法。
【請求項１６】
キャリアスケジューリングのためのＵＥであって、
前記ＵＥは、
免許不要のキャリアのアップリンクサブフレームまたはアップリンク測定時間帯内において、アップリンクチャネルを測定し、アップリンクチャネル品質情報を決定し、また、免許不要のキャリアのダウンリンクサブフレームにおいて、ダウンリンクチャネルを測定し、ダウンリンクチャネル品質情報を決定する第１情報決定モジュールと、 
ネットワーク側装置が受信した前記アップリンクチャネル品質情報に基づき、免許不要のキャリア上でＵＥに対するアップリンクスケジューリング要否を判断できるようにするため、決定した前記アップリンクチャネル品質情報をネットワーク側装置に通知し、また、前記ネットワーク側装置が受信した前記ダウンリンクチャネル品質情報に基づき、免許不要のキャリア上でＵＥへのダウンリンクスケジューリングの要否を判断できるようにするため、決定した前記ダウンリンクチャネル品質情報をネットワーク側装置に通知する通知モジュールとを備えることを特徴とするキャリアスケジューリングのためのＵＥ。
【請求項１７】
キャリアスケジューリングのためのネットワーク側装置であって、
前記ネットワーク側装置は、
ＵＥからフィードバックされた、免許不要のキャリアに関するアップリンクチャネル品質情報及び/またはダウンリンクチャネル品質情報を受信する受信モジュールと、
受信した前記アップリンクチャネル品質情報に基づき、免許不要のキャリアにおいてＵＥに対するアップリンクスケジューリングを行うかどうかを判断し、受信した前記ダウンリンクチャネル品質情報に基づき、免許不要のキャリアにおいてＵＥに対するダウンリンクスケジューリングを行うかどうかを判断する第１判断モジュールとを備えることを特徴とするキャリアスケジューリングのためのネットワーク側装置。
【請求項１８】
キャリアスケジューリングのためのネットワーク側装置であって、
前記ネットワーク側装置は、
免許不要のキャリアのダウンリンクサブフレームまたはダウンリンク測定時間帯において、ダウンリンクチャネルを測定し、ダウンリンクチャネル品質情報を決定する第２情報決定モジュールと、 
決定した前記ダウンリンクチャネル品質情報に基づき、免許不要のキャリアにおいてダウンリンクスケジューリングを行うかどうかを判断する第２判断モジュールとを備えることを特徴とするキャリアスケジューリングのためのネットワーク側装置。
【発明の詳細な説明】
【技術分野】
【０００１】
本発明は無線通信技術分野に関し、特に、キャリアスケジューリングの方法及び装置に関する。
【背景技術】
【０００２】
移動データサービース量の日々増加と伴い、スペクトルリソースが少なくなる一方となり、免許されるスペクトルリソースのみでネットワークのデプロイメント及びサービス伝送を行うのが、もうサービス量のニーズを応じられなくなるため、ユーザーの体験及びカバレッジ拡大を向上するため、ＬＴＥ（Ｌｏｎｇ  Ｔｅｒｍ  Ｅｖｏｌｕｔｉｏｎ）システムにおいて免許不要のスペクトルリソースでデプロイメント・伝送を行うが、このようなシステムは、免許不要のＬＴＥ（Ｕｎｌｉｃｅｎｓｅｄ ＬＴＥ， Ｕ−ＬＴＥまたはＬＴＥ-Uと略称）システムと称される。
【０００３】
免許不要のスペクトルリソースについて、具体的なアプリケーションシステムを計画していないが、多様な無線通信システムを共有することができ、例えばブルートゥース（登録商標）、ワイファイ（ＷｉＦｉ）等を共有ことができる。複数のシステムがリソースを先取りすることにより共有の免許不要のスペクトルリソースを利用する。なので、異なる経営社により配備したＬＴＥ-U間、ＬＴＥ−ＵがＷｉＦｉ等無線通信システムとの共存が、重点的に研究すべきである一方、研究難点とも言える。３ＧＰＰにおいて、ＬＴＥ−ＵとＷｉＦｉ等無線通信システムの間に、公平的に共存することが要求されており、免許不要の周波数ビンがセカンダリーキャリアとして、許される周波数ビンのプライマリーキャリアの補助により実現される。ＬＢＴ（Ｌｉｓｔｅｎ ｂｅｆｏｒｅ Ｔａｌｋ）は、ＬＴＥ−Ｕの競争的アックセスの基本手段として、ほとんど全部の会社の同意を得られた。ＬＢＴ技術は、８０２.１１システムにおいて、搬送波感知多重アクセス／衝突回避方式(Ｃａｒｒｉｅｒ Ｓｅｎｓｅ Ｍｕｌｔｉｐｌｅ Ａｃｃｅｓｓ ｗｉｔｈ Ｃｏｌｌｉｓｉｏｎ Ｄｅｔｅｃｔｉｏｎ， ＣＳＭＡ/ＣＡ)メカニズムを基本的に採用し、ＷｉＦｉシステムにおいて、免許不要のスペクトル上でリソースを先取る技術である。まずは、チャネルをリッスンし、チャネルアイドリング時間がＤＩＦＳ(Ｄｉｓｔｒｉｂｕｔｅｄ Ｉｎｔｅｒ−Ｆｒａｍｅ Ｓｐａｃｅ)に達すれば、現在のチャネルがアイドリングチャネルであると判断し、そして、チャネルへのアックセスを待機するそれぞれのノードがランダムフォールバック段階に入る。こうして、複数のノードが同一のリソースにおける衝突を防止することができる。また、公平性を確保ため、各々ノードがスペクトルリソースを長期に専用することができず、一定の時間またはデータ伝送量の上限に達すると、リソースを解除して、他の装置/システムがリソースを先取るように、規定された。
【０００４】
しかしながら、現在、免許不要のキャリアをスケジューリングする案がまた案出されていない。
【発明の概要】
【発明が解決しようとする課題】
【０００５】
本発明は、キャリアスケジューリングの方法及び装置を提供し、免許不要のキャリアをスケジューリングする。
【課題を解決するための手段】
【０００６】
本発明に係る実施例が提供するキャリアスケジューリングの方法は、
ＵＥは、免許不要のキャリアのアップリンクサブフレームまたはアップリンク測定時間帯において、アップリンクチャネルを測定し、アップリンクチャネル品質情報を決定し、また、免許不要のキャリアのダウンリンクサブフレームにおいて、ダウンリンクチャネルを測定し、ダウンリンクチャネル品質情報を決定するステップと、 
ネットワーク側装置が受信した前記アップリンクチャネル品質情報に基づき、免許不要のキャリア上でＵＥに対するアップリンクスケジューリング要否を判断できるようにするため、前記ＵＥは、決定した前記アップリンクチャネル品質情報をネットワーク側装置に通知するステップと、
前記ネットワーク側装置が受信した前記ダウンリンクチャネル品質情報に基づき、免許不要のキャリア上でＵＥへのダウンリンクスケジューリングの要否を判断できるようにするため、前記ＵＥは、決定した前記ダウンリンクチャネル品質情報をネットワーク側装置に通知するステップとを備える。
【０００７】
好ましくは、前記アップリンクチャネル品質情報には、ＲＳＳＩ、潜在的なアップリンクチャネル競争の成功確率、前記ＵＥ所在のシステム以外の各他の免許不要のシステムの、免許不要のキャリアにおける稼働状態の装置数および前記ＵＥ所在のシステム以外の他の免許不要のシステムの、免許不要のキャリアにおける総電力のうちの一部または全部が含まれ、
前記ダウンリンクチャネル品質情報には、ＲＳＳＩが含まれる。
【０００８】
好ましくは、前記アップリンクチャネル品質情報には、潜在的なアップリンクチャネル競争の成功確率が含まれ、前記アップリンク測定時間帯が競争ウィンドウであり、
前記ＵＥがアップリンク測定時間帯においてアップリンクチャネルを測定し、アップリンクチャネル品質情報を決定することは、
前記ＵＥはリソース競争を行う競争ウィンドウを決定するステップと、
前記ＵＥは決定した競争ウィンドウにおいてアップリンクチャネルを測定し、アップリンクチャネル品質情報を決定するステップとを備える。
【０００９】
好ましくは、前記ＵＥが免許不要のキャリアのアップリンクサブフレームにおいてアップリンクチャネルを測定してアップリンクチャネル品質情報を決定するステップは、
前記ＵＥはネットワーク側により設定されたアップリンクサブフレーム集合においてアップリンクチャネルを測定し、アップリンクチャネル品質情報を決定するステップを備える。
【００１０】
好ましくは、前記ＵＥがアップリンクチャネルを測定するステップは、前記アップリンクチャネル品質情報には、前記ＵＥ所在のシステム以外の各他の免許不要のシステムの、免許不要のキャリアにおける稼働状態の装置数が含まれば、前記ＵＥは、前記ＵＥに内蔵された、他の免許不要のシステムにおいて動作される第１独立モジュールにより、前記ＵＥ所在のシステム以外の各他の免許不要のシステムの、免許不要のキャリアにおける稼働状態の装置数を決定するステップと、
前記アップリンクチャネル品質情報には、前記ＵＥ所在のシステム以外の他の免許不要のシステムの、免許不要のキャリアにおける総電力が含まれば、前記ＵＥは、前記ＵＥに内蔵された、他の免許不要のシステムにおいて動作される第２独立モジュールにより、前記ＵＥ所在のシステム以外の他の免許不要のシステムの、免許不要のキャリアにおける総電力を決定するステップとを備える。
【００１１】
本発明に係る実施例により提供される他のキャリアスケジューリングの方法は、
ネットワーク側装置は、ＵＥからフィードバックされた、免許不要のキャリアに関するアップリンクチャネル品質情報及び/またはダウンリンクチャネル品質情報を受信するステップと、
前記ネットワーク側装置は、受信した前記アップリンクチャネル品質情報に基づき、免許不要のキャリアにおいて、ＵＥに対するアップリンクスケジューリングを行うか否かを判断するステップと、
前記ネットワーク側装置は、受信した前記ダウンリンクチャネル品質情報に基づき、免許不要のキャリアにおいて、ＵＥに対するダウンリンクスケジューリングを行うかどうかを判断するステップとを備える。
【００１２】
好ましくは、前記アップリンクチャネル品質情報には、ＲＳＳＩ、潜在的なアップリンクチャネル競争の成功確率、前記ＵＥ所在のシステム以外の各他の免許不要のシステムの、免許不要のキャリアにおける稼働状態の装置数および前記ＵＥ所在のシステム以外の他の免許不要のシステムの、免許不要のキャリアにおける総電力のうちの一部または全部が含まれ、
前記ダウンリンクチャネル品質情報には、ＲＳＳＩが含まれる。
【００１３】
好ましくは、前記ネットワーク側装置は、受信した前記アップリンクチャネル品質情報に基づき、免許不要のキャリアにおいて、ＵＥに対するアップリンクスケジューリングを行うか否かを判断するステップと、
前記アップリンクチャネル品質情報には、ＲＳＳＩが含まれば、前記ネットワーク側装置は、ＲＳＳＩが第１閾値より小さいかどうかを判断し、第１閾値より小さければ、免許不要のキャリアにおいてＵＥに対するアップリンクスケジューリングを行い、さもないと、免許不要のキャリアにおいてＵＥに対する行アップリンクスケジューリングを行わないステップと、
前記アップリンクチャネル品質情報には、潜在的なアップリンクチャネル競争の成功確率が含まれば、前記ネットワーク側装置は、潜在的なアップリンクチャネル競争の成功確率が第２閾値より大きければ、免許不要のキャリアにおいてＵＥに対するアップリンクスケジューリングを行い、さもないと、免許不要のキャリアにおいてＵＥに対する行アップリンクスケジューリングを行わないステップと、
前記アップリンクチャネル品質情報には、前記ＵＥ所在のシステム以外の各他の免許不要のシステムの、免許不要のキャリアにおける稼働状態の装置数が含まれば、前記ネットワーク側装置は、稼働状態の他の免許不要のシステムの装置数が第３閾値より小さければ、免許不要のキャリアにおいてＵＥに対するアップリンクスケジューリングを行い、さもないと、免許不要のキャリアにおいてＵＥに対する行アップリンクスケジューリングを行わないステップと、
前記アップリンクチャネル品質情報には、前記ＵＥ所在のシステム以外の他の免許不要のシステムの、免許不要のキャリアにおける総電力が含まれば、前記ネットワーク側装置は、前記総電力が第４閾値より小さければ、免許不要のキャリアにおいてＵＥに対するアップリンクスケジューリングを行い、さもないと、免許不要のキャリアにおいてＵＥに対する行アップリンクスケジューリングを行わないステップとを備える。
【００１４】
好ましくは、前記ネットワーク側装置が、受信した前記ダウンリンクチャネル品質情報に基づき、免許不要のキャリアにおいて、ＵＥに対するダウンリンクスケジューリングを行うかどうかを判断するステップは、
前記ネットワーク側装置は、ＲＳＳＩが第５閾値より大きければ、免許不要のキャリアにおいてＵＥに対するダウンリンクスケジューリングを行い、さもないと、免許不要のキャリアにおいてＵＥに対するダウンリンクスケジューリングを行わないステップを備える。
【００１５】
好ましくは、前記ネットワーク側装置が、受信した前記アップリンクチャネル品質情報に基づき、免許不要のキャリアにおいて、ＵＥに対するアップリンクスケジューリングを行うか否かを判断した後、
前記ネットワーク側装置は、免許不要のキャリアにおいてＵＥに対するアップリンクスケジューリングが要ると判断した後、免許されるキャリアにより、免許不要のキャリアに関するアップリンクスケジューリングのスケジューリングシグナリングを送信する。
【００１６】
好ましくは、前記ネットワーク側装置がＵＥからのアップリンクチャネル品質情報を受信する前、
前記ネットワーク側装置は、前記ＵＥのために、アップリンクチャネルを測定するアップリンクサブフレーム集合を設定するステップを備える。
【００１７】
本発明に係る実施例により提供される他のキャリアスケジューリングの方法は、
ネットワーク側装置は、ダウンリンクサブフレームまたはダウンリンク測定時間帯において、ダウンリンクチャネルを測定し、ダウンリンクチャネル品質情報を決定するステップと、
前記ネットワーク側装置は、決定した前記ダウンリンクチャネル品質情報に基づき、免許不要のキャリアにおいてダウンリンクスケジューリングを行うかどうかを判断するステップとを備える。
【００１８】
好ましくは、前記ダウンリンクチャネル品質情報には、ＲＳＳＩ、潜在的なダウンリンクチャネル競争の成功確率、前記ネットワーク側装置所在のシステム以外の各他の免許不要のシステムの、免許不要のキャリアにおける稼働状態の装置数および前記ネットワーク側装置所在のシステム以外の他の免許不要のシステムの、免許不要のキャリアにおける総電力のうちの一部または全部が含まれる。
【００１９】
好ましくは、前記ダウンリンクチャネル品質情報には、潜在的なダウンリンクチャネル競争の成功確率が含まれ、前記ダウンリンク測定時間帯は、競争ウィンドウであり、
前記ネットワーク側装置がダウンリンク測定時間帯においてダウンリンクチャネルを測定し、ダウンリンクチャネル品質情報を決定するステップは、
前記ネットワーク側装置は、リソース競争を行う競争ウィンドウを決定するステップと、
前記ネットワーク側装置は、決定した競争ウィンドウにおいて、ダウンリンクチャネルを測定し、ダウンリンクチャネル品質情報を決定するステップとを備える。
【００２０】
好ましくは、前記ネットワーク側装置が、決定した前記ダウンリンクチャネル品質情報に基づき、免許不要のキャリアにおいてダウンリンクスケジューリングを行うかどうかを判断するステップは、
前記ダウンリンクチャネル品質情報には、ＲＳＳＩが含まれば、前記ネットワーク側装置は、ＲＳＳＩが第６閾値より小さければ、免許不要のキャリアにおいてダウンリンクスケジューリングを行い、さもないと、免許不要のキャリアにおいてダウンリンクスケジューリングを行わないステップと、
前記ダウンリンクチャネル品質情報には、潜在的なダウンリンクチャネル競争の成功確率が含まれば、前記ネットワーク側装置は、潜在的なダウンリンクチャネル競争の成功確率が第７閾値より大きければ、免許不要のキャリアにおいてダウンリンクスケジューリングを行い、さもないと、免許不要のキャリアにおいてダウンリンクスケジューリングを行わないステップと、
前記ダウンリンクチャネル品質情報には、前記ネットワーク側装置所在のシステム以外の各他の免許不要のシステムの、免許不要のキャリアにおける稼働状態の装置数がふくまれば、前記ネットワーク側装置は、稼働状態の他の免許不要のシステムの装置数が第８閾値より小さければ、免許不要のキャリアにおいてダウンリンクスケジューリングを行い、さもないと、免許不要のキャリアにおいてダウンリンクスケジューリングを行わないステップと、
前記ダウンリンクチャネル品質情報には、前記ネットワーク側装置所在の免許不要のシステム以外の他の免許不要のシステムの、免許されるキャリアの場合の総電力が含まれば、前記ネットワーク側装置は、前記総電力が第９閾値より小さければ、免許不要のキャリアにおいてダウンリンクスケジューリングを行い、さもないと、免許不要のキャリアにおいてダウンリンクスケジューリングを行わないステップとを備える。
【００２１】
本発明に係る実施例により提供されるキャリアスケジューリングのＵＥは、
免許不要のキャリアのアップリンクサブフレームまたはアップリンク測定時間帯内において、アップリンクチャネルを測定し、アップリンクチャネル品質情報を決定し、また、免許不要のキャリアのダウンリンクサブフレームにおいて、ダウンリンクチャネルを測定し、ダウンリンクチャネル品質情報を決定する第１情報決定モジュールと、 
ネットワーク側装置が受信した前記アップリンクチャネル品質情報に基づき、免許不要のキャリア上でＵＥに対するアップリンクスケジューリング要否を判断できるようにするため、決定した前記アップリンクチャネル品質情報をネットワーク側装置に通知し、また、前記ネットワーク側装置が受信した前記ダウンリンクチャネル品質情報に基づき、免許不要のキャリア上でＵＥへのダウンリンクスケジューリングの要否を判断できるようにするため、決定した前記ダウンリンクチャネル品質情報をネットワーク側装置に通知する通知モジュールとを備える。
【００２２】
好ましくは、前記アップリンクチャネル品質情報には、ＲＳＳＩ、潜在的なアップリンクチャネル競争の成功確率、前記ＵＥ所在のシステム以外の各他の免許不要のシステムの、免許不要のキャリアにおける稼働状態の装置数および前記ＵＥ所在のシステム以外の他の免許不要のシステムの、免許不要のキャリアにおける総電力のうちの一部または全部が含まれ、
前記ダウンリンクチャネル品質情報には、ＲＳＳＩが含まれる。
【００２３】
好ましくは、前記アップリンクチャネル品質情報には、潜在的なアップリンクチャネル競争の成功確率が含まれ、前記アップリンク測定時間帯が競争ウィンドウであり、
前記第１情報決定モジュールは、
アップリンク測定時間帯内において、アップリンクチャネルを測定してアップリンクチャネル品質情報を決定する場合、リソース競争を行う競争ウィンドウを決定し、決定した競争ウィンドウにおいて、アップリンクチャネルを測定し、アップリンクチャネル品質情報を決定する。
【００２４】
好ましくは、前記第１情報決定モジュールは、
免許不要のキャリアのアップリンクサブフレームにおいて、アップリンクチャネルを測定してアップリンクチャネル品質情報を決定する場合、ネットワーク側により設定されたアップリンクサブフレーム集合において、アップリンクチャネルを測定し、アップリンクチャネル品質情報を決定する。
【００２５】
好ましくは、前記第１情報決定モジュールは、
ダウンリンクチャネルを測定する場合、前記アップリンクチャネル品質情報には、前記ＵＥ所在のシステム以外の各他の免許不要のシステムの、免許不要のキャリアにおける稼働状態の装置数が含まれば、前記ＵＥに内蔵された、他の免許不要のシステムにおいて動作する第１独立モジュールにより、前記ＵＥ所在のシステム以外の各他の免許不要のシステムの、免許不要のキャリアにおける稼働状態の装置数を決定する、前記アップリンクチャネル品質情報には、前記ＵＥ所在のシステム以外の他の免許不要のシステムの、免許不要のキャリアにおける総電力が含まれば、前記ＵＥに内蔵された他の免許不要のシステムにおいて動作する第２独立モジュールにより、前記ＵＥ所在のシステム以外の他の免許不要のシステムの、免許不要のキャリアにおける総電力を決定する。
【００２６】
本発明に係る実施例により提供される行キャリアスケジューリングのためのネットワーク側装置は、
ＵＥからフィードバックされた、免許不要のキャリアに関するアップリンクチャネル品質情報及び/またはダウンリンクチャネル品質情報を受信する受信モジュールと、
受信した前記アップリンクチャネル品質情報に基づき、免許不要のキャリアにおいてＵＥに対するアップリンクスケジューリングを行うかどうかを判断、受信した前記ダウンリンクチャネル品質情報に基づき、免許不要のキャリアにおいてＵＥに対するダウンリンクスケジューリングを行うかどうかを判断する第１判断モジュールとを備える。
【００２７】
好ましくは、前記アップリンクチャネル品質情報には、ＲＳＳＩ、潜在的なアップリンクチャネル競争の成功確率、前記ＵＥ所在のシステム以外の各他の免許不要のシステムの、免許不要のキャリアにおける稼働状態の装置数および前記ＵＥ所在のシステム以外の他の免許不要のシステムの、免許不要のキャリアにおける総電力のうちの一部または全部が含まれ、
前記ダウンリンクチャネル品質情報には、ＲＳＳＩが含まれる。
【００２８】
好ましくは、第１判断モジュールは、
受信した前記アップリンクチャネル品質情報に基づき、免許不要のキャリアにおいてＵＥに対するアップリンクスケジューリングを行うかどうかを判断し、前記アップリンクチャネル品質情報には、ＲＳＳＩが含まれば、ＲＳＳＩが第１閾値より小さければ、免許不要のキャリアにおいてＵＥに対するアップリンクスケジューリングを行い、さもないと、免許不要のキャリアにおいてＵＥに対する行アップリンクスケジューリングを行わない、前記アップリンクチャネル品質情報には、潜在的なアップリンクチャネル競争の成功確率が含まれば、潜在的なアップリンクチャネル競争の成功確率が第２閾値より大きければ、免許不要のキャリアにおいてＵＥに対するアップリンクスケジューリングを行い、さもないと、免許不要のキャリアにおいてＵＥに対する行アップリンクスケジューリングを行わない、前記アップリンクチャネル品質情報には、前記ＵＥ所在のシステム以外の各他の免許不要のシステムの、免許不要のキャリアにおける稼働状態の装置数が含まれば、稼働状態の他の免許不要のシステムの装置数が第３閾値より小さいかどうかを判断し、第３閾値より小さければ、免許不要のキャリアにおいてＵＥに対するアップリンクスケジューリングを行い、さもないと、免許不要のキャリアにおいてＵＥに対する行アップリンクスケジューリングを行わない、前記アップリンクチャネル品質情報には、前記ＵＥ所在のシステム以外の他の免許不要のシステムの、免許不要のキャリアにおける総電力が含まれば、前記総電力が第４閾値より小さければ、免許不要のキャリアにおいてＵＥに対するアップリンクスケジューリングを行い、さもないと、免許不要のキャリアにおいてＵＥに対する行アップリンクスケジューリングを行わない。
【００２９】
好ましくは、前記第１判断モジュールは、
受信した前記ダウンリンクチャネル品質情報に基づき、免許不要のキャリアにおいてＵＥに対するダウンリンクスケジューリングを行うかどうかを判断する場合、ＲＳＳＩが第５閾値より大きければ、免許不要のキャリアにおいてＵＥに対するダウンリンクスケジューリングを行い、さもないと、免許不要のキャリアにおいてＵＥに対するダウンリンクスケジューリングを行わない。
【００３０】
好ましくは、前記第１判断モジュールは、
受信した前記アップリンクチャネル品質情報に基づき、免許不要のキャリアにおいてＵＥに対するアップリンクスケジューリングを行うかどうかを判断した後、免許不要のキャリアにおいてＵＥに対するアップリンクスケジューリングを行うべきであると決定した後、免許されるキャリアにより、免許不要のキャリアに関するアップリンクスケジューリングのスケジューリングシグナリングを送信する。
【００３１】
好ましくは、前記第１判断モジュールは、
ＵＥからのアップリンクチャネル品質情報を受信する前、前記ＵＥのために、アップリンクチャネルを測定するアップリンクサブフレーム集合を設定する。
【００３２】
本発明に係る実施例により提供される行キャリアスケジューリングのためのネットワーク側装置は、
ダウンリンクサブフレームまたはダウンリンク測定時間帯において、ダウンリンクチャネルを測定し、ダウンリンクチャネル品質情報を決定する第２情報決定モジュールと、
決定した前記ダウンリンクチャネル品質情報に基づき、免許不要のキャリアにおいてダウンリンクスケジューリングを行うかどうかを判断する第２判断モジュールとを備える。
【００３３】
好ましくは、前記ダウンリンクチャネル品質情報には、ＲＳＳＩ、潜在的なダウンリンクチャネル競争の成功確率、前記ネットワーク側装置所在のシステム以外の各他の免許不要のシステムの、免許不要のキャリアにおける稼働状態の装置数および前記ネットワーク側装置所在のシステム以外の他の免許不要のシステムの、免許不要のキャリアにおける総電力のうちの一部または全部が含まれる。
【００３４】
好ましくは、前記ダウンリンクチャネル品質情報には、潜在的なダウンリンクチャネル競争の成功確率が含まれ、前記ダウンリンク測定時間帯は、競争ウィンドウであり、
前記第２情報決定モジュールは、
ダウンリンク測定時間帯において、ダウンリンクチャネルを測定して、ダウンリンクチャネル品質情報を決定する場合、リソース競争を行う競争ウィンドウを決定し、決定した競争ウィンドウにおいてダウンリンクチャネルを測定し、ダウンリンクチャネル品質情報を決定する。
【００３５】
好ましくは、前記第２判断モジュールは、
前記ダウンリンクチャネル品質情報には、ＲＳＳＩが含まれば、ＲＳＳＩが第６閾値より小さければ、免許不要のキャリアにおいてダウンリンクスケジューリングを行い、さもないと、免許不要のキャリアにおいてダウンリンクスケジューリングを行わない、前記ダウンリンクチャネル品質情報には、潜在的なダウンリンクチャネル競争の成功確率が含まれば、潜在的なダウンリンクチャネル競争の成功確率が第７閾値より大きければ、免許不要のキャリアにおいてダウンリンクスケジューリングを行い、さもないと、免許不要のキャリアにおいてダウンリンクスケジューリングを行わない、前記ダウンリンクチャネル品質情報には、前記ネットワーク側装置所在のシステム以外の各他の免許不要のシステムの、免許不要のキャリアにおける稼働状態の装置数がふくまれば、稼働状態の他の免許不要のシステムの装置数が第８閾値より小さければ、免許不要のキャリアにおいてダウンリンクスケジューリングを行い、さもないと、免許不要のキャリアにおいてダウンリンクスケジューリングを行わない、前記ダウンリンクチャネル品質情報には、前記ネットワーク側装置所在の免許不要のシステム以外の他の免許不要のシステムの、免許されるキャリアの場合の総電力が含まれば、判断前記総電力が第９閾値より小さければ、免許不要のキャリアにおいてダウンリンクスケジューリングを行い、さもないと、免許不要のキャリアにおいてダウンリンクスケジューリングを行わない。
【発明の効果】
【００３６】
本発明に係る実施例ＵＥは、免許不要のキャリアのアップリンクサブフレームまたはアップリンク測定時間帯において、アップリンクチャネルを測定し、アップリンクチャネル品質情報を決定し、また、免許不要のキャリアのダウンリンクサブフレームにおいて、ダウンリンクチャネルを測定し、ダウンリンクチャネル品質情報を決定し、決定した前記アップリンクチャネル品質情報をネットワーク側装置に通知し、前記ネットワーク側装置は、受信した前記アップリンクチャネル品質情報に基づき、免許不要のキャリアにおいて、ＵＥに対するアップリンクスケジューリングを行うか否かを判断し、また、前記ネットワーク側装置が受信した前記ダウンリンクチャネル品質情報に基づき、免許不要のキャリア上でＵＥへのダウンリンクスケジューリングの要否を判断できるようにするため、決定した前記ダウンリンクチャネル品質情報をネットワーク側装置に通知する。こうして、免許不要のキャリアに対するスケジューリングを実現し、システム機能を一層高める。
【図面の簡単な説明】
【００３７】
【図１】本発明に係る実施例１のキャリアスケジューリングのためのシステムの構造図である。
【図２】本発明に係る実施例２のＵＥの構造図である。
【図３】本発明に係る実施例３のネットワーク側装置の構造図である。
【図４】本発明に係る実施例４のＵＥの構造図である。
【図５】本発明に係る実施例５のネットワーク側装置の構造図である。
【図６】本発明に係る実施例６のキャリアスケジューリングのための方法のフローチャートである。
【図７】本発明に係る実施例７のキャリアスケジューリングのための方法のフローチャートである。
【図８】本発明に係る実施例８のキャリアスケジューリングのための方法のフローチャートである。
【図９】本発明に係る実施例９のネットワーク側装置の構造図である
【図１０】本発明に係る実施例１０のネットワーク側装置の構造図である。
【発明を実施するための形態】
【００３８】
本発明に係る実施例ＵＥは、免許不要のキャリアのアップリンクサブフレームまたはアップリンク測定時間帯において、アップリンクチャネルを測定し、アップリンクチャネル品質情報を決定し、また、免許不要のキャリアのダウンリンクサブフレームにおいて、ダウンリンクチャネルを測定し、ダウンリンクチャネル品質情報を決定する。決定した前記アップリンクチャネル品質情報をネットワーク側装置に通知する。前記ネットワーク側装置は、受信した前記アップリンクチャネル品質情報に基づき、免許不要のキャリアにおいて、ＵＥに対するアップリンクスケジューリングを行うか否かを判断し、また、前記ネットワーク側装置が受信した前記ダウンリンクチャネル品質情報に基づき、免許不要のキャリア上でＵＥへのダウンリンクスケジューリングの要否を判断できるようにするため、決定した前記ダウンリンクチャネル品質情報をネットワーク側装置に通知する。こうして、免許不要のキャリアに対するスケジューリングを実現し、システム機能を一層高める。
【００３９】
本発明に係る実施例が免許不要の周波数ビンにおいて動作する場合の、ＵＥ/基地局が免許不要のキャリアチャネル品質を測定する方法を提供する。ＵＥ/基地局により測定し得たチャネル品質に基づき、ＵＥ/基地局がＬＢＴ手段でチャネルを競争する際の成功確率および干渉状況をよりよく具現できるため、当該測定結果は、基地局の免許不要の周波数ビンにおけるデータスケジューリングに、補助することができ、こうして、スケジューリングの成功確率を向上して、盲目にスケジューリングしてＵＥにスケジューリング免許を発送したのに、基地局/ＵＥがチャネルを先取できないことを防ぐか軽減して、ＬＴＥの、免許不要の周波数ビンにおけるシステム効率を向上する。
【００４０】
以下、図面を参照しながら、本発明に係る実施例をさらに詳細に説明する。
【００４１】
図１に示すように、本発明に係る実施例１のキャリアスケジューリングのためのシステムには、ＵＥ１０と、ネットワーク側装置２０とが備えられる。
【００４２】
ＵＥ１０は、免許不要のキャリアのアップリンクサブフレームまたはアップリンク測定時間帯内において、アップリンクチャネルを測定し、アップリンクチャネル品質情報を決定する、及び/または免許不要のキャリアのダウンリンクサブフレームにおいて、ダウンリンクチャネルを測定し、ダウンリンクチャネル品質情報を決定する。ネットワーク側装置が受信した前記アップリンクチャネル品質情報に基づき、免許不要のキャリア上でＵＥに対するアップリンクスケジューリング要否を判断できるようにするため、決定した前記アップリンクチャネル品質情報をネットワーク側装置に通知する。また、前記ネットワーク側装置が受信した前記ダウンリンクチャネル品質情報に基づき、免許不要のキャリア上でＵＥへのダウンリンクスケジューリングの要否を判断できるようにするため、決定した前記ダウンリンクチャネル品質情報をネットワーク側装置に通知する。
【００４３】
ネットワーク側装置２０は、ダウンリンクサブフレームまたはダウンリンク測定時間帯において、ダウンリンクチャネルを測定し、ダウンリンクチャネル品質情報を決定する。決定した前記ダウンリンクチャネル品質情報に基づき、免許不要のキャリアにおいてダウンリンクスケジューリングを行うかどうかを判断する。
【００４４】
好ましくは、本発明に係る実施例の前記アップリンクチャネル品質情報には、
受信信号強度指示子（Ｒｅｃｅｉｖｅｄ Ｓｉｇｎａｌ Ｓｔｒｅｎｇｔｈ Ｉｎｄｉｃａｔｉｏｎ，ＲＳＳＩ）、潜在的なアップリンクチャネル競争の成功確率、前記ＵＥ所在のシステム以外の各他の免許不要のシステムの、免許不要のキャリアにおける稼働状態の装置数および前記ＵＥ所在のシステム以外の他の免許不要のシステムの、免許不要のキャリアにおける総電力のうちの一部または全部が含まれる。
【００４５】
実施中に、前記ＵＥ所在のシステム以外の各他の免許不要のシステムの、免許不要のキャリアにおける稼働状態の装置数は、ＵＥ所在のシステム以外の各他の免許不要のシステムにおいて測定し得たまたは検出した装置数であってもよい。
【００４６】
例えば、ＷＩＦＩネットワークにより検索した、ホットスポットが設定された装置の数であってもよい。または、ブルートゥース（登録商標）により検索した装置の数などであってもよい。
【００４７】
ここで、潜在的なアップリンクチャネル競争の成功確率は、ＵＥが基地局のスケジューリングを得た後、ＬＢＴ手段により競争して得られた物理アップリンク共有チャネル（Ｐｈｙｓｉｃａｌ Ｕｐｌｉｎｋ Ｓｈａｒｅｄ Ｃｈａｎｎｅｌ，ＰＵＳＣＨ）チャネルの成功確率である。
【００４８】
前記アップリンクチャネル品質情報には、前記ＵＥ所在のシステム以外の各他の免許不要のシステムの、免許不要のキャリアにおける稼働状態の装置数が含まれば、前記ＵＥは、前記ＵＥに内蔵された、他の免許不要のシステムにおいて動作される第１独立モジュールにより、前記ＵＥ所在のシステム以外の各他の免許不要のシステムの、免許不要のキャリアにおける稼働状態の装置数を決定する。
【００４９】
前記アップリンクチャネル品質情報には、前記ＵＥ所在のシステム以外の他の免許不要のシステムの、免許不要のキャリアにおける総電力が含まれば、前記ＵＥは、前記ＵＥに内蔵された、他の免許不要のシステムにおいて動作される第２独立モジュールにより、前記ＵＥ所在のシステム以外の他の免許不要のシステムの、免許不要のキャリアにおける総電力を決定する。
【００５０】
例えば、免許不要のキャリアで動作するＬＴＥ  ＵＥの場合、独立的にＷＩＦＩ、ブルートゥース（登録商標）等免許不要のシステムの専用チップまたはモジュールユニットなどが通常に内蔵されており、上記の２つの例において、免許不要のキャリアで動作するＬＴＥ  ＵＥは、内臓された独立のＷＩＦＩ、ブルートゥース（登録商標）等免許不要のシステムの専用チップまたはモジュールユニットを用いて、ＷＩＦＩ、ブルートゥース（登録商標）のような免許不要のシステムを測定することにより、ＷＩＦＩ、ブルートゥース（登録商標）のような免許不要のシステムそれぞれのノードの稼働された数を得るか、またはＷＩＦＩ、ブルートゥース（登録商標）のような免許不要のシステムそれぞれの信号の総確率を得る。
【００５１】
好ましくは、本発明に係る実施例の、前記ダウンリンクチャネル品質情報には、ＲＳＳＩが含まれるが、これに限られない。
【００５２】
ネットワーク側装置が前記アップリンクチャネル品質情報を受信すれば、受信した前記アップリンクチャネル品質情報に基づき、免許不要のキャリアにおいてＵＥに対するアップリンクスケジューリングを行うかどうかを判断する。
【００５３】
ネットワーク側装置が前記ダウンリンクチャネル品質情報を受信すれば、受信した前記ダウンリンクチャネル品質情報に基づき、免許不要のキャリアにおいてＵＥに対するダウンリンクスケジューリングを行うかどうかを判断する。
【００５４】
好ましくは、前記ネットワーク側装置は、免許不要のキャリアにおいてＵＥに対するアップリンクスケジューリングが要ると判断した後、免許されるキャリアにより、免許不要のキャリアに関するアップリンクスケジューリングのスケジューリングシグナリングを送信し、例えば、物理ダウンリンク制御チャネル（Ｐｈｙｓｉｃａｌ Ｄｏｗｎｌｉｎｋ Ｃｏｎｔｒｏｌ Ｃｈａｎｎｅｌ，ＰＤＣＣＨ）。
【００５５】
アップリンクチャネルの測定について、アップリンクサブフレームにより測定する場合、アップリンクサブフレーム上のデータ伝送に影響を与えないようにするため、全部のスケジューリングしていないデータを伝送するアップリンクサブフレームにおいて、ＵＥは、アップリンクチャネルを測定してもよく、ネットワークにより設定したアップリンクサブフレーム集合において測定してもよい。
【００５６】
ＵＥがネットワークにより設定したアップリンクサブフレーム集合において測定すれば、前記ネットワーク側装置は、ＵＥからのアップリンクチャネル品質情報を受信する前、前記ＵＥのために、アップリンクチャネルを測定するアップリンクサブフレーム集合を設定する。
【００５７】
ダウンリンクチャネルの測定について、アップリンクサブフレームにより測定する場合、ＵＥは全部のダウンリンクサブフレームにおいて測定（例えば、ＲＳＳＩ測定）してもよく、ネットワークにより設定した測定専用ダウンリンクサブフレーム集合において測定してもよい（例えば、他の免許不要の装置の動作状況を測定するため、ＵＥ専用のダウンリンク測定サブフレーム集合を設定してから測定する必要がある）。
【００５８】
ＵＥがネットワークにより設定したアップリンクサブフレーム集合において測定すれば、前記ネットワーク側装置は、ＵＥからのダウンリンクチャネル品質情報を受信する前、前記ＵＥのために、ダウンリンクチャネルの測定のためのアップリンクサブフレーム集合を設定する。
【００５９】
実施中に、前記アップリンクチャネル品質情報には、潜在的なアップリンクチャネル競争の成功確率が含まれば、競争リソースのアップリンクサブフレームまたは設定した競争リソース時間帯（例えば、競争ウィンドウ）において、測定をカウントする。
【００６０】
例えば、前記アップリンクチャネル品質情報には、潜在的なアップリンクチャネル競争の成功確率が含まれ、前記アップリンク測定時間帯が競争ウィンドウである。ＵＥがアップリンク測定時間帯においてアップリンクチャネルを測定し、アップリンクチャネル品質情報を決定する場合、リソース競争を行う競争ウィンドウを決定する。決定した競争ウィンドウにおいて、アップリンクチャネルを測定し、アップリンクチャネル品質情報を決定する。
【００６１】
好ましくは、サンプル数を増やすため、ＵＥの、データ伝送が行っているアップリンクサブフレームまたは設定した競争リソース時間帯（競争ウィンドウ）の競争チャネルの結果を、一括にカウントしてもよい。
【００６２】
実施中に、ＵＥ的電力損失と提升測定の正確さおよび客観性のバランスを取るため、ＵＥは、一部のアップリンクサブフレーム及び/またはダウンリンクサブフレームを周期的に選定して測定してもよい。好ましくは、周期長が無線フレーム長にしてもよい。例えば、無線フレーム長が１０ｍｓであれば、１０ｍｓごとに測定し、ＵＥは、第１個、または、第１個および第２個のサブフレームにおいて測定することができるが、全測定時間は１０個の無線フレーム（１００ｍｓ）より少なくない。ＵＥは、複数の測定サブフレーム上の結果の平均値または総計値を計算する。
【００６３】
具体的に、アップリンクの測定について、前記ＵＥは、アップリンクサブフレームまたはアップリンク測定時間帯内において、アップリンクチャネルを測定し、アップリンクチャネル品質情報を周期的に決定する。
【００６４】
前記ＵＥがアップリンクサブフレームにおいてアップリンクチャネルを測定すれば、前記ＵＥは、アップリンクチャネルの測定に利用したアップリンクサブフレーム数が第１閾値より大きければ、前記アップリンクチャネル品質情報をネットワーク側装置に通知する。
【００６５】
前記ＵＥがアップリンク測定時間帯において、アップリンクチャネルを測定すれば、前記ＵＥが、アップリンクチャネルの測定に利用したアップリンク測定時間帯の総時間が第１時間より大きければ、前記アップリンクチャネル品質情報をネットワーク側装置に通知する。
【００６６】
ダウンリンクの測定について、前記ＵＥは、ダウンリンクサブフレームにおいて、ダウンリンクチャネルを測定して、ダウンリンクチャネル品質情報を決定する。
前記ＵＥがダウンリンクチャネルに測定に利用したダウンリンクサブフレーム数が第２閾値より大きければ、前記ダウンリンクチャネル品質情報をネットワーク側装置に通知する。
【００６７】
好ましくは、前記アップリンクチャネル品質情報には、ＲＳＳＩが含まれば、前記ＵＥは、利用可能の測定サブフレームにおいて、各サブフレームのＲＳＳＩを測定し、第１閾値より小さくないサブフレームのＲＳＳＩ結果の平均値を、最終の測定結果とする。
【００６８】
好ましくは、前記アップリンクチャネル品質情報には、潜在的なアップリンクチャネル競争の成功確率が含まれば、競争リソースの１つのアップリンクサブフレームについて、ＵＥが当該サブフレーム上のデータ伝送に対応するスケジューリングシグナリングを受信していない場合、競争成功確率を測定するため、ＵＥは、当該アップリンクサブフレームにおいてデータを伝送すると仮定して、リソース競争に参与する（実は、ＵＥが競争に成功してもデータを伝送しない）。ＵＥはＬＢＴのような手段で競争ウィンドウ（上記のアップリンク測定時間帯）においてリソースを競争し、今回のリソース競争に成功すれば、今回のカウントにおいて、成功の回数に１を加算する。サンプルを追加するため、ＵＥは、データスケジューリングがあるアップリンクサブフレームの競争チャネル結果もカウントしてもよい。予定のカウント回数である第３閾値に達すれば、競争成功の回数と総試行競争回数を比を算出して測定結果とする。
【００６９】
好ましくは、前記アップリンクチャネル品質情報には、前記ＵＥ所在のシステム以外の各他の免許不要のシステムの、免許不要のキャリアにおける稼働状態の装置数及び/または前記ＵＥ所在のシステム以外の他の免許不要のシステムの、免許不要のキャリアにおける総電力がふくまれば、ＵＥは、測定に用いられるサブフレームにおいて、他の免許不要のシステムを受け入られる固有の動作モジュール（如ＷＩＦＩチップ）を稼働させ、上記他の免許不要のシステム動作状態を決定してもよい。
【００７０】
好ましくは、前記アップリンクチャネル品質情報は、前記ＵＥ所在のシステム以外の各他の免許不要のシステムの免許不要のキャリアにおける負荷状況が含まれてもよい。
【００７１】
負荷状況は、信号強度、チャネル占有率等を含むが、これに限られない。
【００７２】
上記情報に基づき、測定結果はそれぞれ別途に報告されてもよく、他の免許不要のシステム動作状態、総電力および負荷状況のうちの一部または全体に対する総合的な評価結果である。
【００７３】
ここで、測定した結果は、設定したインターフェースによりＬＴＥモジュールに伝送してもよい。
【００７４】
ＵＥが報告する場合、報告対象の測定結果として、具体的な数値、例えば、如ＲＳＳＩ値、競争チャネル成功確率、稼働数、総電力等であってもよい。当該値に対応するチャネル状况の量化結果であってもよく、例えば、ある値区間のＲＳＳＩ値がチャネル品質レベル “１”に対応し、他の値区間のＲＳＳＩ値がチャネル品質レベル“２”に対応する…これによって類推する。ＵＥおよびネットワーク側は、当該データ区間の量化手段に対する認識が一致すればよい。
【００７５】
ＵＥが報告する場合、ＵＥは、免許される周波数ビンにおいて、物理アップリンク制御チャネル（Ｐｈｙｓｉｃａｌ Ｕｐｌｉｎｋ Ｃｏｎｔｒｏｌ Ｃｈａｎｎｅｌ，ＰＵＣＣＨ）またはＰＵＳＣＨを利用してネットワーク側に測定結果を報告してもよい。周期的に報告してもよいし、ネットワーク側によりトリガーされてから報告してもよい。
【００７６】
ＵＥは、報告する際に、アップリンクチャネルおよびダウンリンクチャネル測定結果を区別する必要がある。例えば、報告のチャネルまた時間の相違により、アップリンクチャネル品質情報とダウンリンクチャネル品質情報を区別する。
【００７７】
実施中に、前記ネットワーク側装置は、受信した前記アップリンクチャネル品質情報に基づき、免許不要のキャリアにおいて、ＵＥに対するアップリンクスケジューリングを行うか否かを判断する場合、
前記アップリンクチャネル品質情報には、ＲＳＳＩが含まれば、前記ネットワーク側装置は、ＲＳＳＩが第１閾値より小さいかどうかを判断し、第１閾値より小さければ、免許不要のキャリアにおいてＵＥに対するアップリンクスケジューリングを行い、さもないと、免許不要のキャリアにおいてＵＥに対する行アップリンクスケジューリングを行わない。
【００７８】
前記アップリンクチャネル品質情報には、潜在的なアップリンクチャネル競争の成功確率が含まれば、前記ネットワーク側装置は、潜在的なアップリンクチャネル競争の成功確率が第２閾値より大きければ、免許不要のキャリアにおいてＵＥに対するアップリンクスケジューリングを行い、さもないと、免許不要のキャリアにおいてＵＥに対する行アップリンクスケジューリングを行わない。
【００７９】
前記アップリンクチャネル品質情報には、前記ＵＥ所在のシステム以外の各他の免許不要のシステムの、免許不要のキャリアにおける稼働状態の装置数が含まれば、前記ネットワーク側装置は、稼働状態の他の免許不要のシステムの装置数が第３閾値より小さければ、免許不要のキャリアにおいてＵＥに対するアップリンクスケジューリングを行い、さもないと、免許不要のキャリアにおいてＵＥに対する行アップリンクスケジューリングを行わない。
【００８０】
前記アップリンクチャネル品質情報には、前記ＵＥ所在のシステム以外の他の免許不要のシステムの、免許不要のキャリアにおける総電力が含まれば、前記ネットワーク側装置は、前記総電力が第４閾値より小さければ、免許不要のキャリアにおいてＵＥに対するアップリンクスケジューリングを行い、さもないと、免許不要のキャリアにおいてＵＥに対する行アップリンクスケジューリングを行わない。
【００８１】
前記ネットワーク側装置は、受信した前記ダウンリンクチャネル品質情報に基づき、免許不要のキャリアにおいて、ＵＥに対するダウンリンクスケジューリングを行うかどうかを判断する場合、
前記ネットワーク側装置は、ＲＳＳＩが第５閾値より大きければ、免許不要のキャリアにおいてＵＥに対するダウンリンクスケジューリングを行い、さもないと、免許不要のキャリアにおいてＵＥに対するダウンリンクスケジューリングを行わない。
【００８２】
例えば、アップリンクデータスケジューリングの前、ＵＥの報告結果中の測定したアップリンクチャネルへの干渉が小さい（ＲＳＳＩが小さい）またはアップリンクチャネル競争の成功確率が高いまたは免許不要のキャリア上の稼働数が少ないまたは他の免許不要のシステムの、免許不要のキャリアにおける総電力が小さければ、当該ＵＥに対しアップリンクデータスケジューリングを行うことができる。この場合、ＵＥに対するスケジューリングの成功確率が高くて、スケジューリング免許への浪費可能性が小さいため、当該スケジューリング免許は、免許不要のキャリア上で送信されてもよく、免許されるキャリア上で送信されてもよい。
【００８３】
さらなる例を挙げれば、ダウンリンクデータスケジューリングの前、ＵＥにより報告した結果中の測定下ダウンリンクチャネルへの干渉が小さければ（ＲＳＳＩが小さい）、当該ＵＥに対してダウンリンクデータスケジューリングを行ってもよい。この場い、ＵＥに対するスケジューリングの成功確率が高くて、スケジューリング免許への浪費可能性が小さいため、当該スケジューリング免許は、免許不要のキャリア上で送信されてもよく、免許されるキャリア上で送信されてもよい。
【００８４】
本発明に係る実施例の発明案を利用すれば、免許不要のキャリアにおいてスケジューリングする成功確率を高めることができ、スケジューリング免許への浪費が減らされ、システムの効率を向上することができる。
【００８５】
ここで、本発明に係る実施例のネットワーク側装置は、基地局（例えば、マクロ基地局、ホーム基地局等）であってもよく、中継（ＲＮ）装置であってもよく、他のネットワーク側装置であってもよい。
【００８６】
図２に示すように、本発明に係る実施例２のＵＥは、第１情報決定モジュール２００と、通知モジュール２１０とを備える。
【００８７】
第１情報決定モジュール２００は、免許不要のキャリアのアップリンクサブフレームまたはアップリンク測定時間帯内において、アップリンクチャネルを測定し、アップリンクチャネル品質情報を決定し、また、免許不要のキャリアのダウンリンクサブフレームにおいて、ダウンリンクチャネルを測定し、ダウンリンクチャネル品質情報を決定する。 
【００８８】
通知モジュール２１０は、ネットワーク側装置が受信した前記アップリンクチャネル品質情報に基づき、免許不要のキャリア上でＵＥに対するアップリンクスケジューリング要否を判断できるようにするため、決定した前記アップリンクチャネル品質情報をネットワーク側装置に通知し、また、前記ネットワーク側装置が受信した前記ダウンリンクチャネル品質情報に基づき、免許不要のキャリア上でＵＥへのダウンリンクスケジューリングの要否を判断できるようにするため、決定した前記ダウンリンクチャネル品質情報をネットワーク側装置に通知する。
【００８９】
好ましくは、前記アップリンクチャネル品質情報には、ＲＳＳＩ、潜在的なアップリンクチャネル競争の成功確率、前記ＵＥ所在のシステム以外の各他の免許不要のシステムの、免許不要のキャリアにおける稼働状態の装置数および前記ＵＥ所在のシステム以外の他の免許不要のシステムの、免許不要のキャリアにおける総電力のうちの一部または全部が含まれる。
【００９０】
前記ダウンリンクチャネル品質情報には、ＲＳＳＩが含まれる。
【００９１】
好ましくは、前記アップリンクチャネル品質情報には、潜在的なアップリンクチャネル競争の成功確率が含まれ、前記アップリンク測定時間帯が競争ウィンドウである。
【００９２】
詳しくは、前記第１情報決定モジュール２００は、アップリンク測定時間帯内において、アップリンクチャネルを測定してアップリンクチャネル品質情報を決定する場合、リソース競争を行う競争ウィンドウを決定して、決定した競争ウィンドウにおいて、アップリンクチャネルを測定し、アップリンクチャネル品質情報を決定する。
【００９３】
好ましくは、前記第１情報決定モジュール２００は、免許不要のキャリアのアップリンクサブフレームにおいて、アップリンクチャネルを測定してアップリンクチャネル品質情報を決定する場合、ネットワーク側により設定されたアップリンクサブフレーム集合において、アップリンクチャネルを測定し、アップリンクチャネル品質情報を決定する。
【００９４】
好ましくは、前記第１情報決定モジュール２００は、アップリンクチャネルを測定する場合、前記アップリンクチャネル品質情報には、前記ＵＥ所在のシステム以外の各他の免許不要のシステムの、免許不要のキャリアにおける稼働状態の装置数が含まれば、前記ＵＥに内蔵された、他の免許不要のシステムにおいて動作する第１独立モジュールにより、前記ＵＥ所在のシステム以外の各他の免許不要のシステムの、免許不要のキャリアにおける稼働状態の装置数を決定する。前記アップリンクチャネル品質情報には、前記ＵＥ所在のシステム以外の他の免許不要のシステムの、免許不要のキャリアにおける総電力が含まれば、前記ＵＥに内蔵された他の免許不要のシステムにおいて動作する第２独立モジュールにより、前記ＵＥ所在のシステム以外の他の免許不要のシステムの、免許不要のキャリアにおける総電力を決定する。
【００９５】
図３に示すように、本発明に係る実施例３のネットワーク側装置は、受信モジュール３００と、第１判断モジュール３１０とを備える。
【００９６】
受信モジュール３００は、ＵＥからフィードバックされた、免許不要のキャリアに関するアップリンクチャネル品質情報及び/またはダウンリンクチャネル品質情報を受信する。
【００９７】
第１判断モジュール３１０は、受信した前記アップリンクチャネル品質情報に基づき、免許不要のキャリアにおいてＵＥに対するアップリンクスケジューリングを行うかどうかを判断し、受信した前記ダウンリンクチャネル品質情報に基づき、免許不要のキャリアにおいてＵＥに対するダウンリンクスケジューリングを行うかどうかを判断する。
【００９８】
好ましくは、前記アップリンクチャネル品質情報には、ＲＳＳＩ、潜在的なアップリンクチャネル競争の成功確率、前記ＵＥ所在のシステム以外の各他の免許不要のシステムの、免許不要のキャリアにおける稼働状態の装置数および前記ＵＥ所在のシステム以外の他の免許不要のシステムの、免許不要のキャリアにおける総電力のうちの一部または全部が含まれる。
【００９９】
前記ダウンリンクチャネル品質情報には、ＲＳＳＩが含まれる。
【０１００】
好ましくは、第１判断モジュール３１０は、
受信した前記アップリンクチャネル品質情報に基づき、免許不要のキャリアにおいてＵＥに対するアップリンクスケジューリングを行うかどうかを判断する。前記アップリンクチャネル品質情報には、ＲＳＳＩが含まれば、ＲＳＳＩが第１閾値より小さければ、免許不要のキャリアにおいてＵＥに対するアップリンクスケジューリングを行い、さもないと、免許不要のキャリアにおいてＵＥに対する行アップリンクスケジューリングを行わない。前記アップリンクチャネル品質情報には、潜在的なアップリンクチャネル競争の成功確率が含まれば、潜在的なダウンリンクチャネル競争の成功確率が第２閾値より大きければ、免許不要のキャリアにおいてＵＥに対するアップリンクスケジューリングを行い、さもないと、免許不要のキャリアにおいてＵＥに対する行アップリンクスケジューリングを行わない。前記アップリンクチャネル品質情報には、前記ＵＥ所在のシステム以外の各他の免許不要のシステムの、免許不要のキャリアにおける稼働状態の装置数が含まれば、稼働状態の他の免許不要のシステムの装置数が第３閾値より小さいかどうかを判断し、第３閾値より小さければ、免許不要のキャリアにおいてＵＥに対するアップリンクスケジューリングを行い、さもないと、免許不要のキャリアにおいてＵＥに対する行アップリンクスケジューリングを行わない。前記アップリンクチャネル品質情報には、前記ＵＥ所在のシステム以外の他の免許不要のシステムの、免許不要のキャリアにおける総電力が含まれば、前記総電力が第４閾値より小さければ、免許不要のキャリアにおいてＵＥに対するアップリンクスケジューリングを行い、さもないと、免許不要のキャリアにおいてＵＥに対する行アップリンクスケジューリングを行わない。
【０１０１】
好ましくは、前記第１判断モジュール３１０は、受信した前記ダウンリンクチャネル品質情報に基づき、免許不要のキャリアにおいてＵＥに対するダウンリンクスケジューリングを行うかどうかを判断する場合、ＲＳＳＩが第５閾値より大きければ、免許不要のキャリアにおいてＵＥに対するダウンリンクスケジューリングを行い、さもないと、免許不要のキャリアにおいてＵＥに対するダウンリンクスケジューリングを行わない。
【０１０２】
好ましくは、前記第１判断モジュール３１０は、受信した前記アップリンクチャネル品質情報に基づき、免許不要のキャリアにおいてＵＥに対するアップリンクスケジューリングを行うかどうかを判断した後、免許不要のキャリアにおいてＵＥに対するアップリンクスケジューリングを行うべきであると決定した後、免許されるキャリアにより、免許不要のキャリアに関するアップリンクスケジューリングのスケジューリングシグナリングを送信する。
【０１０３】
好ましくは、前記第１判断モジュール３１０は、ＵＥからのアップリンクチャネル品質情報を受信する前、前記ＵＥのために、アップリンクチャネルを測定するアップリンクサブフレーム集合を設定する。
【０１０４】
図４に示すように、本発明に係る実施例４のＵＥは、プロセッサ４０１と、送受信機４０２とを備える。
【０１０５】
前記プロセッサ４０１は、メモリ４０４内のプログラムを読みだして、送受信機４０２により、免許不要のキャリアのアップリンクサブフレームまたはアップリンク測定時間帯内において、アップリンクチャネルを測定し、アップリンクチャネル品質情報を決定する。及び/または免許不要のキャリアのダウンリンクサブフレームにおいて、ダウンリンクチャネルを測定し、ダウンリンクチャネル品質情報を決定する。送受信機４０２により、ネットワーク側装置が受信した前記アップリンクチャネル品質情報に基づき、免許不要のキャリア上でＵＥに対するアップリンクスケジューリング要否を判断できるようにするため、決定した前記アップリンクチャネル品質情報をネットワーク側装置に通知する。また、送受信機４０２により、前記ネットワーク側装置が受信した前記ダウンリンクチャネル品質情報に基づき、免許不要のキャリア上でＵＥへのダウンリンクスケジューリングの要否を判断できるようにするため、決定した前記ダウンリンクチャネル品質情報をネットワーク側装置に通知する。
【０１０６】
送受信機４０２は、プロセッサ４０１の制御により、データを送受信する。
【０１０７】
好ましくは、前記アップリンクチャネル品質情報には、ＲＳＳＩ、潜在的なアップリンクチャネル競争の成功確率、前記ＵＥ所在のシステム以外の各他の免許不要のシステムの、免許不要のキャリアにおける稼働状態の装置数および前記ＵＥ所在のシステム以外の他の免許不要のシステムの、免許不要のキャリアにおける総電力のうちの一部または全部が含まれる。
【０１０８】
前記ダウンリンクチャネル品質情報には、ＲＳＳＩが含まれる。
【０１０９】
好ましくは、前記アップリンクチャネル品質情報には、潜在的なアップリンクチャネル競争の成功確率が含まれ、前記アップリンク測定時間帯が競争ウィンドウである。
【０１１０】
前記プロセッサ４０１は、アップリンク測定時間帯内において、アップリンクチャネルを測定してアップリンクチャネル品質情報を決定する場合、リソース競争を行う競争ウィンドウを決定する。決定した競争ウィンドウにおいて、アップリンクチャネルを測定し、アップリンクチャネル品質情報を決定する。
【０１１１】
好ましくは、前記プロセッサ４０１は、免許不要のキャリアのアップリンクサブフレームにおいて、アップリンクチャネルを測定してアップリンクチャネル品質情報を決定する場合、ネットワーク側により設定されたアップリンクサブフレーム集合において、アップリンクチャネルを測定し、アップリンクチャネル品質情報を決定する。
【０１１２】
好ましくは、前記プロセッサ４０１は、アップリンクチャネルを測定する場合、前記アップリンクチャネル品質情報には、前記ＵＥ所在のシステム以外の各他の免許不要のシステムの、免許不要のキャリアにおける稼働状態の装置数が含まれば、前記ＵＥに内蔵された、他の免許不要のシステムにおいて動作する第１独立モジュールにより、前記ＵＥ所在のシステム以外の各他の免許不要のシステムの、免許不要のキャリアにおける稼働状態の装置数を決定する。前記アップリンクチャネル品質情報には、前記ＵＥ所在のシステム以外の他の免許不要のシステムの、免許不要のキャリアにおける総電力が含まれば、前記ＵＥに内蔵された他の免許不要のシステムにおいて動作する第２独立モジュールにより、前記ＵＥ所在のシステム以外の他の免許不要のシステムの、免許不要のキャリアにおける総電力を決定する。
【０１１３】
図４において、バスアーキテクチャ（バスアーキテクチャ４００で示す）は、いずれ数の相互接続するバス及びブリッジを備える。具体的に、プロセッサ４００が代表となる１つまたは複数のプロセッサ及びメモリ４０４が代表となるメモリの多様な回路により接続される。バスアーキテクチャ４００は、外部設備、電圧レギュレーター及び電力管理回路等の他の回路を接続することもできる。これらは、当該分野の周知技術であるため、本発明において、詳細に説明しない。バスインターフェース４０３はバスアーキテクチャ４００と送受信機４０２の間においてインターフェースを提供する。送受信機４０２は、複数の部品であることができ、即ち、送信機及び受信機を備え、伝送媒体を介して他の装置と通信するユニットを提供する。例えば、送受信機４０２波多野装置から外部データを受信する。送受信機４０２は、プロセッサ４０１により処理した後のデータを他の装置に送信することができる。コンピュータシステムの性質により、ユーザーインターフェース４０５、キーパッド、ディスプレー、スピーカー、マイクロホン、ジョイスティックを提供することもできる。
【０１１４】
プロセッサ４０１は、バスアーキテクチャ４００及び通常の処理を監視し、メモリ４０４は、プロセッサ４０１が動作する際に利用するデータを記憶することができる。
【０１１５】
選択可能であれば、プロセッサ４０１は、ＣＰＵ、ＡＳＩＣ、ＦＰＧＡまたはＣＰＬＤであることができる。
【０１１６】
図５に示すように、本発明に係る実施例５のネットワーク側装置は、プロセッサ５０１と、送受信機５０２とを備える。
【０１１７】
プロセッサ５０１は、メモリ５０４内のプログラムを読みだして、送受信機５０２により、ネットワーク側装置は、ＵＥからフィードバックされた、免許不要のキャリアに関するアップリンクチャネル品質情報及び/またはダウンリンクチャネル品質情報を受信する。受信した前記アップリンクチャネル品質情報に基づき、免許不要のキャリアにおいてＵＥに対するアップリンクスケジューリングを行うかどうかを判断する。送受信機５０２により、受信した前記ダウンリンクチャネル品質情報に基づき、免許不要のキャリアにおいてＵＥに対するダウンリンクスケジューリングを行うかどうかを判断する。
【０１１８】
送受信機５０２は、プロセッサ５０１の制御によりデータを送受信する。
【０１１９】
好ましくは、前記アップリンクチャネル品質情報には、ＲＳＳＩ、潜在的なアップリンクチャネル競争の成功確率、前記ＵＥ所在のシステム以外の各他の免許不要のシステムの、免許不要のキャリアにおける稼働状態の装置数および前記ＵＥ所在のシステム以外の他の免許不要のシステムの、免許不要のキャリアにおける総電力のうちの一部または全部が含まれる。
【０１２０】
前記ダウンリンクチャネル品質情報には、ＲＳＳＩが含まれる。
【０１２１】
好ましくは、前記プロセッサ５０１は、受信した前記アップリンクチャネル品質情報に基づき、免許不要のキャリアにおいてＵＥに対するアップリンクスケジューリングを行うかどうかを判断する場合、前記アップリンクチャネル品質情報には、ＲＳＳＩが含まれば、ＲＳＳＩが第１閾値より小さければ、免許不要のキャリアにおいてＵＥに対するアップリンクスケジューリングを行い、さもないと、免許不要のキャリアにおいてＵＥに対する行アップリンクスケジューリングを行わない。前記アップリンクチャネル品質情報には、潜在的なアップリンクチャネル競争の成功確率が含まれば、潜在的なアップリンクチャネル競争の成功確率が第２閾値より大きければ、免許不要のキャリアにおいてＵＥに対するアップリンクスケジューリングを行い、さもないと、免許不要のキャリアにおいてＵＥに対する行アップリンクスケジューリングを行わない。前記アップリンクチャネル品質情報には、前記ＵＥ所在のシステム以外の各他の免許不要のシステムの、免許不要のキャリアにおける稼働状態の装置数が含まれば、稼働状態の他の免許不要のシステムの装置数が第３閾値より小さいかどうかを判断し、第３閾値より小さければ、免許不要のキャリアにおいてＵＥに対するアップリンクスケジューリングを行い、さもないと、免許不要のキャリアにおいてＵＥに対する行アップリンクスケジューリングを行わない。前記アップリンクチャネル品質情報には、前記ＵＥ所在のシステム以外の他の免許不要のシステムの、免許不要のキャリアにおける総電力が含まれば、前記総電力が第４閾値より小さければ、免許不要のキャリアにおいてＵＥに対するアップリンクスケジューリングを行い、さもないと、免許不要のキャリアにおいてＵＥに対する行アップリンクスケジューリングを行わない。
【０１２２】
好ましくは、前記プロセッサ５０１は、受信した前記ダウンリンクチャネル品質情報に基づき、免許不要のキャリアにおいてＵＥに対するダウンリンクスケジューリングを行うかどうかを判断する場合、ＲＳＳＩが第５閾値より大きければ、免許不要のキャリアにおいてＵＥに対するダウンリンクスケジューリングを行い、さもないと、免許不要のキャリアにおいてＵＥに対するダウンリンクスケジューリングを行わない。
【０１２３】
好ましくは、前記プロセッサ５０１は、受信した前記アップリンクチャネル品質情報に基づき、免許不要のキャリアにおいてＵＥに対するアップリンクスケジューリングを行うかどうかを判断した後、免許不要のキャリアにおいてＵＥに対するアップリンクスケジューリングを行うべきであると決定した後、免許されるキャリアにより、免許不要のキャリアに関するアップリンクスケジューリングのスケジューリングシグナリングを送信する。
【０１２４】
好ましくは、前記プロセッサ５０１は、ＵＥからのアップリンクチャネル品質情報を受信する前、前記ＵＥのために、アップリンクチャネルを測定するアップリンクサブフレーム集合を設定する。
【０１２５】
図５において、バスアーキテクチャ（バスアーキテクチャ５００で示す）は、いずれ数の相互接続するバス及びブリッジを備える。具体的に、プロセッサ５００が代表となる１つまたは複数のプロセッサ及びメモリ５０４が代表となるメモリの多様な回路により接続される。バスアーキテクチャ５００は、外部設備、電圧レギュレーター及び電力管理回路等の他の回路を接続することもできる。これらは、当該分野の周知技術であるため、本発明において、詳細に説明しない。バスインターフェース５０３はバスアーキテクチャ５００と送受信機５０２の間においてインターフェースを提供する。送受信機５０２は、複数の部品であることができ、即ち、送信機及び受信機を備え、伝送媒体を介して他の装置と通信するユニットを提供する。例えば、送受信機５０２波多野装置から外部データを受信する。送受信機５０２は、プロセッサ５０１により処理した後のデータを他の装置に送信することができる。コンピュータシステムの性質により、ユーザーインターフェース５０５、キーパッド、ディスプレー、スピーカー、マイクロホン、ジョイスティックを提供することもできる。
【０１２６】
プロセッサ５０１は、バスアーキテクチャ５００及び通常の処理を監視し、メモリ５０４は、プロセッサ５０１が動作する際に利用するデータを記憶することができる。
【０１２７】
選択可能であれば、プロセッサ５０１は、ＣＰＵ、ＡＳＩＣ、ＦＰＧＡまたはＣＰＬＤであることができる。
【０１２８】
同様な発明思想に基づき、本発明に係る実施例は、キャリアスケジューリングのための方法を提供し、キャリアスケジューリングのための方法に対応する装置は、本発明に係る実施例のキャリアスケジューリングのためのシステムにおける異なる装置であり、当該方法の課題解決原理がシステムと類似するため、当該方法の実施はシステムを参照することができ、重複の内容は繰り返さない。
【０１２９】
図６に示すように、本発明に係る実施例六キャリアスケジューリングのための方法は、ステップ６０１と、ステップ６０２とを備える。
【０１３０】
ステップ６０１において、ＵＥは、免許不要のキャリアのアップリンクサブフレームまたはアップリンク測定時間帯において、アップリンクチャネルを測定し、アップリンクチャネル品質情報を決定し、また、免許不要のキャリアのダウンリンクサブフレームにおいて、ダウンリンクチャネルを測定し、ダウンリンクチャネル品質情報を決定する。
【０１３１】
ステップ６０２において、前記ＵＥは、決定した前記アップリンクチャネル品質情報をネットワーク側装置に通知し、ネットワーク側装置が受信した前記アップリンクチャネル品質情報に基づき、免許不要のキャリア上でＵＥに対するアップリンクスケジューリング要否を判断できるようにするため、また、前記ネットワーク側装置が受信した前記ダウンリンクチャネル品質情報に基づき、免許不要のキャリア上でＵＥへのダウンリンクスケジューリングの要否を判断できるようにするため、決定した前記ダウンリンクチャネル品質情報をネットワーク側装置に通知する。
【０１３２】
好ましくは、前記アップリンクチャネル品質情報には、受信信号強度指示子（ＲＳＳＩ）、潜在的なアップリンクチャネル競争の成功確率、前記ＵＥ所在のシステム以外の各他の免許不要のシステムの、免許不要のキャリアにおける稼働状態の装置数および前記ＵＥ所在のシステム以外の他の免許不要のシステムの、免許不要のキャリアにおける総電力のうちの一部または全部が含まれる。
【０１３３】
前記ダウンリンクチャネル品質情報には、ＲＳＳＩが含まれる。
【０１３４】
好ましくは、前記アップリンクチャネル品質情報には、潜在的なアップリンクチャネル競争の成功確率が含まれ、前記アップリンク測定時間帯が競争ウィンドウである。
【０１３５】
前記ＵＥがアップリンク測定時間帯においてアップリンクチャネルを測定し、アップリンクチャネル品質情報を決定するステップは、
前記ＵＥはリソース競争を行う競争ウィンドウを決定するステップと、
前記ＵＥは決定した競争ウィンドウにおいてアップリンクチャネルを測定し、アップリンクチャネル品質情報を決定するステップとを備える。
【０１３６】
好ましくは、前記ＵＥが免許不要のキャリアのアップリンクサブフレームにおいてアップリンクチャネルを測定してアップリンクチャネル品質情報を決定するステップは、
前記ＵＥはネットワーク側により設定されたアップリンクサブフレーム集合においてアップリンクチャネルを測定し、アップリンクチャネル品質情報を決定するステップを備える。
【０１３７】
好ましくは、前記ＵＥがアップリンクチャネルを測定するステップは、
前記アップリンクチャネル品質情報には、前記ＵＥ所在のシステム以外の各他の免許不要のシステムの、免許不要のキャリアにおける稼働状態の装置数が含まれば、前記ＵＥは、前記ＵＥに内蔵された、他の免許不要のシステムにおいて動作される第１独立モジュールにより、前記ＵＥ所在のシステム以外の各他の免許不要のシステムの、免許不要のキャリアにおける稼働状態の装置数を決定するステップを備える。
【０１３８】
前記アップリンクチャネル品質情報には、前記ＵＥ所在のシステム以外の他の免許不要のシステムの、免許不要のキャリアにおける総電力が含まれば、前記ＵＥは、前記ＵＥに内蔵された、他の免許不要のシステムにおいて動作される第２独立モジュールにより、前記ＵＥ所在のシステム以外の他の免許不要のシステムの、免許不要のキャリアにおける総電力を決定する。
【０１３９】
図７に示すように、本発明に係る実施例７のキャリアスケジューリングのための方法は、ステップ７０１と、ステップ７０２と、ステップ７０３とを備える。
【０１４０】
ステップ７０１において、ネットワーク側装置は、ＵＥからフィードバックされた、免許不要のキャリアに関するアップリンクチャネル品質情報及び/またはダウンリンクチャネル品質情報を受信する。
【０１４１】
ステップ７０２において、前記ネットワーク側装置は、受信した前記アップリンクチャネル品質情報に基づき、免許不要のキャリアにおいて、ＵＥに対するアップリンクスケジューリングを行うか否かを判断する。
【０１４２】
ステップ７０３において、前記ネットワーク側装置は、受信した前記ダウンリンクチャネル品質情報に基づき、免許不要のキャリアにおいて、ＵＥに対するダウンリンクスケジューリングを行うかどうかを判断する。
【０１４３】
好ましくは、前記アップリンクチャネル品質情報には、ＲＳＳＩ、潜在的なアップリンクチャネル競争の成功確率、前記ＵＥ所在のシステム以外の各他の免許不要のシステムの、免許不要のキャリアにおける稼働状態の装置数および前記ＵＥ所在のシステム以外の他の免許不要のシステムの、免許不要のキャリアにおける総電力のうちの一部または全部が含まれる。
【０１４４】
前記ダウンリンクチャネル品質情報には、ＲＳＳＩが含まれる。
【０１４５】
好ましくは、前記ネットワーク側装置が、受信した前記アップリンクチャネル品質情報に基づき、免許不要のキャリアにおいて、ＵＥに対するアップリンクスケジューリングを行うか否かを判断するステップは、
前記アップリンクチャネル品質情報には、ＲＳＳＩが含まれば、前記ネットワーク側装置は、ＲＳＳＩが第１閾値より小さいかどうかを判断し、第１閾値より小さければ、免許不要のキャリアにおいてＵＥに対するアップリンクスケジューリングを行い、さもないと、免許不要のキャリアにおいてＵＥに対する行アップリンクスケジューリングを行わないステップと、
前記アップリンクチャネル品質情報には、潜在的なアップリンクチャネル競争の成功確率が含まれば、前記ネットワーク側装置は、潜在的なアップリンクチャネル競争の成功確率が第２閾値より大きければ、免許不要のキャリアにおいてＵＥに対するアップリンクスケジューリングを行い、さもないと、免許不要のキャリアにおいてＵＥに対する行アップリンクスケジューリングを行わないステップと、
前記アップリンクチャネル品質情報には、前記ＵＥ所在のシステム以外の各他の免許不要のシステムの、免許不要のキャリアにおける稼働状態の装置数が含まれば、前記ネットワーク側装置は、稼働状態の他の免許不要のシステムの装置数が第３閾値より小さければ、免許不要のキャリアにおいてＵＥに対するアップリンクスケジューリングを行い、さもないと、免許不要のキャリアにおいてＵＥに対する行アップリンクスケジューリングを行わないステップと、
前記アップリンクチャネル品質情報には、前記ＵＥ所在のシステム以外の他の免許不要のシステムの、免許不要のキャリアにおける総電力が含まれば、前記ネットワーク側装置は、前記総電力が第４閾値より小さければ、免許不要のキャリアにおいてＵＥに対するアップリンクスケジューリングを行い、さもないと、免許不要のキャリアにおいてＵＥに対する行アップリンクスケジューリングを行わないステップとを備える。
【０１４６】
好ましくは、前記ネットワーク側装置が、受信した前記ダウンリンクチャネル品質情報に基づき、免許不要のキャリアにおいて、ＵＥに対するダウンリンクスケジューリングを行うかどうかを判断するステップは、
前記ネットワーク側装置は、ＲＳＳＩが第５閾値より小さければ、免許不要のキャリアにおいてＵＥに対するダウンリンクスケジューリングを行い、さもないと、免許不要のキャリアにおいてＵＥに対するダウンリンクスケジューリングを行わないステップを備える。
【０１４７】
好ましくは、前記ネットワーク側装置は、受信した前記アップリンクチャネル品質情報に基づき、免許不要のキャリアにおいて、ＵＥに対するアップリンクスケジューリングを行うか否かを判断した後、前記ネットワーク側装置は、免許不要のキャリアにおいてＵＥに対するアップリンクスケジューリングが要ると判断した後、免許されるキャリアにより、免許不要のキャリアに関するアップリンクスケジューリングのスケジューリングシグナリングを送信するステップをさらに備える。
【０１４８】
好ましくは、前記ネットワーク側装置がＵＥからのアップリンクチャネル品質情報を受信する前、
前記ネットワーク側装置は、前記ＵＥのために、アップリンクチャネルを測定するアップリンクサブフレーム集合を設定するステップをさらに備える。
【０１４９】
図８に示すように、本発明に係る実施例８のキャリアスケジューリングのための方法は、ステップ８０１と、ステップ８０２とを備える。
【０１５０】
ステップ８０１において、ネットワーク側装置は、ダウンリンクサブフレームまたはダウンリンク測定時間帯において、ダウンリンクチャネルを測定し、ダウンリンクチャネル品質情報を決定する。
【０１５１】
ステップ８０２において、前記ネットワーク側装置は、決定した前記ダウンリンクチャネル品質情報に基づき、免許不要のキャリアにおいてダウンリンクスケジューリングを行うかどうかを判断する。
【０１５２】
好ましくは、本発明に係る実施例の前記ダウンリンクチャネル品質情報には、ＲＳＳＩ、潜在的なダウンリンクチャネル競争の成功確率、前記ネットワーク側装置所在のシステム以外の各他の免許不要のシステムの、免許不要のキャリア上の動作状態的装置稼働数および前記ネットワーク側装置所在のシステム以外の他の免許不要のシステムの、免許不要のキャリアにおける総電力のうちの一部または全部を含むが、これらに限られない。
【０１５３】
実施中に、前記ＵＥ所在のシステム以外の各他の免許不要のシステムの、免許不要のキャリアにおける稼働状態の装置数は、ＵＥ所在のシステム以外の各他の免許不要のシステムにおいて測定し得たまたは検出した装置数であってもよい。
【０１５４】
例えば、ＷＩＦＩネットワークにより検索した、ホットスポットが設定された装置の数であってもよい。または、ブルートゥース（登録商標）により検索した装置の数などであってもよい。
【０１５５】
ここで、潜在的なダウンリンクチャネル競争の成功確率は、PDSCHおよびPDCCH等ダウンリンク物理チャネルの伝送するダウンリンクサブフレームリソースを得た後の成功確率である。
【０１５６】
ダウンリンクサブフレームにより測定する場合、ダウンリンクサブフレームのデータ伝送に影響を与えないようにするため、全部のスケジューリングしていないデータを伝送するダウンリンクサブフレームにおいて、ネットワーク側装置は、ダウンリンクチャネルを測定することができる。
【０１５７】
実施中に、前記ダウンリンクチャネル品質情報には、潜在的なダウンリンクチャネル競争の成功確率が含まれる場合、競争リソースのダウンリンクサブフレームまたは設定した競争リソース時間帯（例えば、競争ウィンドウ）において、測定をカウントする。
【０１５８】
例えば、前記ダウンリンクチャネル品質情報には、潜在的なダウンリンクチャネル競争の成功確率が含まれ、前記ダウンリンク測定時間帯は、競争ウィンドウである。前記ネットワーク側装置がダウンリンク測定時間帯においてダウンリンクチャネルを測定し、ダウンリンクチャネル品質情報を決定する場合、前記ネットワーク側装置は、リソース競争を行う競争ウィンドウを決定し、決定した競争ウィンドウにおいてダウンリンクチャネルを測定し、ダウンリンクチャネル品質情報を決定する。
【０１５９】
好ましくは、サンプル数を増やすため、データ伝送が行っているアップリンクサブフレームまたは設定した競争リソース時間帯（競争ウィンドウ）の競争チャネルの結果を、一括にカウントしてもよい。
【０１６０】
実施中に、ネットワーク側装置は、一部のダウンリンクサブフレームを周期的に選定して測定してもよい。好ましくは、周期長が無線フレーム長にしてもよく、例えば、が１０ｍｓであれば、１０ｍｓごとに測定し、複数の測定サブフレーム上の結果の平均値または総計値を計算する。
【０１６１】
具体的に、ダウンリンク測定について、前記ネットワーク側装置は、ダウンリンクサブフレームまたはダウンリンク測定時間帯において、ダウンリンクチャネル測定ダウンリンクチャネル品質情報を決定する。
【０１６２】
ダウンリンクサブフレームにおいてダウンリンクチャネルを測定すれば、前記ネットワーク側装置は、ダウンリンクチャネルの測定に利用したダウンリンクサブフレーム数が第４閾値より大きければ、前記ダウンリンクチャネル品質情報を決定する。
【０１６３】
前記ネットワーク側装置がダウンリンク測定時間帯においてダウンリンクチャネルを測定する場合、前記ネットワーク側装置がダウンリンクチャネルの測定に利用したダウンリンク測定時間帯の総時間が第２時間より大きければ、前記ダウンリンクチャネル品質情報を決定する。
【０１６４】
好ましくは、前記ダウンリンクチャネル品質情報には、ＲＳＳＩが含まれば、前記ネットワーク側装置は、利用可能の測定サブフレームにおいて、各サブフレームのＲＳＳＩを測定し、第１閾値より小さくないサブフレームのＲＳＳＩ結果の各サブフレームのＲＳＳＩを測定し、第４閾値より小さくないサブフレームのＲＳＳＩ結果の平均値を最終の測定結果とする。
【０１６５】
好ましくは、前記ダウンリンクチャネル品質情報には、潜在的なダウンリンクチャネル競争の成功確率が含まれば、競争リソースの１つのダウンリンクサブフレームについて、サブフレーム上のデータ伝送に対応するスケジューリングシグナリングを受信していない場合、競争成功確率を測定するため、ネットワーク側装置は、当該ダウンリンクサブフレームにおいてデータを伝送すると仮定し、リソース競争に参与する（実は、ネットワーク側装置は、競争に成功してもデータを伝送しない）。
【０１６６】
ネットワーク側装置ＬＢＴのような手段でリソースを競争し、今回のリソース競争に成功すれば、今回のカウントにおいて、成功の回数に１を加算する。サンプルを追加するため、ネットワーク側装置は、データスケジューリングがあるダウンリンクサブフレームの競争チャネル結果もカウントしてもよい。予定のカウント回数である第５閾値に達すれば、競争成功の回数と総試行競争回数を比を算出して測定結果とする。
【０１６７】
好ましくは、前記ダウンリンクチャネル品質情報には、前記ネットワーク側装置所在のシステム以外の各他の免許不要のシステムの免許不要のキャリアにおける負荷状況が含まれてもよい。
【０１６８】
負荷状況は、信号強度、チャネル占有率等を含むが、これに限られない。
【０１６９】
上記情報に基づき、測定結果はそれぞれ別途に報告されてもよく、他の免許不要のシステム動作状態、総電力および負荷状況のうちの一部または全体に対する総合的な評価結果であってもよく。例えば、加重係数により判断してもよい。
【０１７０】
実施中に、前記ネットワーク側装置は、決定した前記ダウンリンクチャネル品質情報に基づき、免許不要のキャリアにおいてダウンリンクスケジューリングを行うかどうかを判断する場合、
前記ダウンリンクチャネル品質情報には、ＲＳＳＩが含まれば、前記ネットワーク側装置は、ＲＳＳＩが第６閾値より小さければ、免許不要のキャリアにおいてダウンリンクスケジューリングを行い、さもないと、免許不要のキャリアにおいてダウンリンクスケジューリングを行わない。
【０１７１】
前記ダウンリンクチャネル品質情報には、潜在的なダウンリンクチャネル競争の成功確率が含まれば、前記ネットワーク側装置は、潜在的なダウンリンクチャネル競争の成功確率が第７閾値より大きければ、免許不要のキャリアにおいてダウンリンクスケジューリングを行い、さもないと、免許不要のキャリアにおいてダウンリンクスケジューリングを行わない。
【０１７２】
前記ダウンリンクチャネル品質情報には、前記ネットワーク側装置所在のシステム以外の各他の免許不要のシステムの、免許不要のキャリアにおける稼働状態の装置数がふくまれば、前記ネットワーク側装置は、稼働状態の他の免許不要のシステムの装置数が第８閾値より小さければ、免許不要のキャリアにおいてダウンリンクスケジューリングを行い、さもないと、免許不要のキャリアにおいてダウンリンクスケジューリングを行わない。
【０１７３】
前記ダウンリンクチャネル品質情報には、前記ネットワーク側装置所在の免許不要のシステム以外の他の免許不要のシステムの、免許されるキャリアの場合の総電力が含まれば、前記ネットワーク側装置は、前記総電力が第９閾値より小さければ、免許不要のキャリアにおいてダウンリンクスケジューリングを行い、さもないと、免許不要のキャリアにおいてダウンリンクスケジューリングを行わない。
【０１７４】
ここで、本発明に係る実施例のネットワーク側装置は、基地局（例えば、マクロ基地局、ホーム基地局等）であってもよいし、ＲＮ（中継）装置であってもよく、他のネットワーク側装置であってもよい。
【０１７５】
図９に示すように、本発明に係る実施例８のネットワーク側装置は、第２情報決定モジュール９００と、第２判断モジュール９１０とを備える。
【０１７６】
第２情報決定モジュール９００は、ダウンリンクサブフレームまたはダウンリンク測定時間帯において、ダウンリンクチャネルを測定し、ダウンリンクチャネル品質情報を決定する。 
【０１７７】
第２判断モジュール９１０は、決定した前記ダウンリンクチャネル品質情報に基づき、免許不要のキャリアにおいてダウンリンクスケジューリングを行うかどうかを判断する。
【０１７８】
好ましくは、前記ダウンリンクチャネル品質情報には、ＲＳＳＩ、潜在的なダウンリンクチャネル競争の成功確率、前記ネットワーク側装置所在のシステム以外の各他の免許不要のシステムの、免許不要のキャリアにおける稼働状態の装置数および前記ネットワーク側装置所在のシステム以外の他の免許不要のシステムの、免許不要のキャリアにおける総電力のうちの一部または全部が含まれる。
【０１７９】
好ましくは、前記ダウンリンクチャネル品質情報には、潜在的なダウンリンクチャネル競争の成功確率が含まれ、前記ダウンリンク測定時間帯は、競争ウィンドウである。
【０１８０】
前記第２情報決定モジュール９００は、ダウンリンク測定時間帯において、ダウンリンクチャネルを測定して、ダウンリンクチャネル品質情報を決定する場合、リソース競争を行う競争ウィンドウを決定する。決定した競争ウィンドウにおいてダウンリンクチャネルを測定し、ダウンリンクチャネル品質情報を決定する。
【０１８１】
好ましくは、前記第２判断モジュール９１０は、前記ダウンリンクチャネル品質情報には、ＲＳＳＩが含まれば、ＲＳＳＩが第６閾値より小さければ、免許不要のキャリアにおいてダウンリンクスケジューリングを行い、さもないと、免許不要のキャリアにおいてダウンリンクスケジューリングを行わない。前記ダウンリンクチャネル品質情報には、潜在的なダウンリンクチャネル競争の成功確率が含まれば、潜在的なダウンリンクチャネル競争の成功確率が第７閾値より大きければ、免許不要のキャリアにおいてダウンリンクスケジューリングを行い、さもないと、免許不要のキャリアにおいてダウンリンクスケジューリングを行わない。前記ダウンリンクチャネル品質情報には、前記ネットワーク側装置所在のシステム以外の各他の免許不要のシステムの、免許不要のキャリアにおける稼働状態の装置数がふくまれば、稼働状態の他の免許不要のシステムの装置数が第８閾値より小さければ、免許不要のキャリアにおいてダウンリンクスケジューリングを行い、さもないと、免許不要のキャリアにおいてダウンリンクスケジューリングを行わない。前記ダウンリンクチャネル品質情報には、前記ネットワーク側装置所在の免許不要のシステム以外の他の免許不要のシステムの、免許されるキャリアの場合の総電力が含まれば、判断前記総電力が第９閾値より小さければ、免許不要のキャリアにおいてダウンリンクスケジューリングを行い、さもないと、免許不要のキャリアにおいてダウンリンクスケジューリングを行わない。
【０１８２】
実施中に、図３のネットワーク側装置の機能と図９のネットワーク側装置の機能が１個のエンティティに整合されてもよい。ニーズに応じて、図３のネットワーク側装置の機能または図９のネットワーク側装置の機能を選定する。すなわち、図３のネットワーク側装置のモジュールと図９のネットワーク側装置のモジュールは、１個のエンティティに整合することができる。
【０１８３】
図１０に示すように、本発明に係る実施例１０のネットワーク側装置は、プロセッサ１００１と、送受信機１００２とを備える。
【０１８４】
プロセッサ１００１は、メモリ１００４内のプログラムを読みだして、送受信機１００２により、ダウンリンクサブフレームまたはダウンリンク測定時間帯において、ダウンリンクチャネルを測定し、ダウンリンクチャネル品質情報を決定し、決定した前記ダウンリンクチャネル品質情報に基づき、免許不要のキャリアにおいてダウンリンクスケジューリングを行うかどうかを判断する。
【０１８５】
送受信機１００２は、プロセッサ１００１の制御により、データを送受信する。
【０１８６】
好ましくは、前記ダウンリンクチャネル品質情報には、ＲＳＳＩ、潜在的なダウンリンクチャネル競争の成功確率、前記ネットワーク側装置所在のシステム以外の各他の免許不要のシステムの、免許不要のキャリアにおける稼働状態の装置数および前記ネットワーク側装置所在のシステム以外の他の免許不要のシステムの、免許不要のキャリアにおける総電力のうちの一部または全部が含まれる。
【０１８７】
好ましくは、前記ダウンリンクチャネル品質情報には、潜在的なダウンリンクチャネル競争の成功確率が含まれ、前記ダウンリンク測定時間帯は、競争ウィンドウである。
【０１８８】
前記プロセッサ１００１は、ダウンリンク測定時間帯において、ダウンリンクチャネルを測定して、ダウンリンクチャネル品質情報を決定する場合、リソース競争を行う競争ウィンドウを決定し、決定した競争ウィンドウにおいてダウンリンクチャネルを測定し、ダウンリンクチャネル品質情報を決定する。
【０１８９】
好ましくは、前記プロセッサ１００１は、前記ダウンリンクチャネル品質情報には、ＲＳＳＩが含まれば、ＲＳＳＩが第６閾値より小さければ、免許不要のキャリアにおいてダウンリンクスケジューリングを行い、さもないと、免許不要のキャリアにおいてダウンリンクスケジューリングを行わない。前記ダウンリンクチャネル品質情報には、潜在的なダウンリンクチャネル競争の成功確率が含まれば、潜在的なダウンリンクチャネル競争の成功確率が第７閾値より大きければ、免許不要のキャリアにおいてダウンリンクスケジューリングを行い、さもないと、免許不要のキャリアにおいてダウンリンクスケジューリングを行わない。前記ダウンリンクチャネル品質情報には、前記ネットワーク側装置所在のシステム以外の各他の免許不要のシステムの、免許不要のキャリアにおける稼働状態の装置数がふくまれば、稼働状態の他の免許不要のシステムの装置数が第８閾値より小さければ、免許不要のキャリアにおいてダウンリンクスケジューリングを行い、さもないと、免許不要のキャリアにおいてダウンリンクスケジューリングを行わない。前記ダウンリンクチャネル品質情報には、前記ネットワーク側装置所在の免許不要のシステム以外の他の免許不要のシステムの、免許されるキャリアの場合の総電力が含まれば、判断前記総電力が第９閾値より小さければ、免許不要のキャリアにおいてダウンリンクスケジューリングを行い、さもないと、免許不要のキャリアにおいてダウンリンクスケジューリングを行わない。
【０１９０】
図１０において、バスアーキテクチャ（バスアーキテクチャ１０００で示す）は、いずれ数の相互接続するバス及びブリッジを備える。具体的に、プロセッサ１０００が代表となる１つまたは複数のプロセッサ及びメモリ１００４が代表となるメモリの多様な回路により接続される。バスアーキテクチャ１０００は、外部設備、電圧レギュレーター及び電力管理回路等の他の回路を接続することもできる。これらは、当該分野の周知技術であるため、本発明において、詳細に説明しない。バスインターフェース１００３はバスアーキテクチャ１０００と送受信機１００２の間においてインターフェースを提供する。送受信機１００２は、複数の部品であることができ、即ち、送信機及び受信機を備え、伝送媒体を介して他の装置と通信するユニットを提供する。例えば、送受信機１００２波多野装置から外部データを受信する。送受信機１００２は、プロセッサ１００１により処理した後のデータを他の装置に送信することができる。コンピュータシステムの性質により、ユーザーインターフェース１００５、キーパッド、ディスプレー、スピーカー、マイクロホン、ジョイスティックを提供することもできる。
【０１９１】
プロセッサ１００１は、バスアーキテクチャ１０００及び通常の処理を監視し、メモリ１００４は、プロセッサ１００１が動作する際に利用するデータを記憶することができる。
【０１９２】
選択可能であれば、プロセッサ１００１は、ＣＰＵ、ＡＳＩＣ、ＦＰＧＡまたはＣＰＬＤであることができる。
【０１９３】
実施中に、図５のネットワーク側装置の機能と図１０のネットワーク側装置の機能が１個のエンティティに整合されてもよい。ニーズに応じて、図５のネットワーク側装置の機能または図１０のネットワーク側装置の機能を選定する。すなわち、図５のネットワーク側装置のモジュールと図１０のネットワーク側装置のモジュールは、１個のエンティティに整合することができる。すなわち、図５のネットワーク側装置の各モジュールと図１０のネットワーク側装置の各モジュールは、１個のエンティティに整合することができる。
以上により、本発明に係る実施例ＵＥは、免許不要のキャリアのアップリンクサブフレームまたはアップリンク測定時間帯において、アップリンクチャネルを測定し、アップリンクチャネル品質情報を決定し、また、免許不要のキャリアのダウンリンクサブフレームにおいて、ダウンリンクチャネルを測定し、ダウンリンクチャネル品質情報を決定する。決定した前記アップリンクチャネル品質情報をネットワーク側装置に通知する。前記ネットワーク側装置は、受信した前記アップリンクチャネル品質情報に基づき、免許不要のキャリアにおいて、ＵＥに対するアップリンクスケジューリングを行うか否かを判断し、また、前記ネットワーク側装置が受信した前記ダウンリンクチャネル品質情報に基づき、免許不要のキャリア上でＵＥへのダウンリンクスケジューリングの要否を判断できるようにするため、決定した前記ダウンリンクチャネル品質情報をネットワーク側装置に通知する。こうして、免許不要のキャリアに対するスケジューリングを実現し、システム機能を一層高める。
【０１９４】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【０１９５】
本発明は、２０１４年１１月５日に中国特許局に提出し、出願番号が２０１４１０６３７６７４．２であり、発明名称が「キャリアスケジューリングの方法及び装置」との中国特許出願を基礎とする優先権を主張し、その開示の総てをここに取り込む。
【図１】
0006450466.tif 000002
【図２】
0006450466.tif 000003
【図３】
0006450466.tif 000004
【図４】
0006450466.tif 000005
【図５】
0006450466.tif 000006
【図６】
0006450466.tif 000007
【図７】
0006450466.tif 000008
【図８】
0006450466.tif 000009
【図９】
0006450466.tif 000010
【図１０】
0006450466.tif 000011